(57)【要約】  コンテンツに対する評価情報の信頼性を確保することを目的とする。端末装置は、コンテンツを構成する、映像及び音の少なくとも何れか一方を出力する出力装置により出力された映像又は音を検出する。端末装置は、コンテンツに対してユーザにより入力された評価情報と、検出された映像又は音を示す検出情報と、をサーバ装置へ送信。サーバ装置は、コンテンツを構成する、映像又は音を示すコンテンツ情報を取得する。サーバ装置は、端末装置から評価情報及び検出情報を受信する。サーバ装置は、取得されたコンテンツ情報と受信された検出情報とを比較する。サーバ装置は、比較結果により、コンテンツ情報と検出情報との間に所定の一致がある場合、受信された評価情報をコンテンツの評価に用いるよう選択する。
2020059047.tif 000002
【特許請求の範囲】
【請求項１】
端末装置と、前記端末装置とネットワークを介して接続されるサーバ装置と、を含む評価システムにおいて、
前記端末装置は、
映像及び音の少なくとも何れか一方で構成されるコンテンツに対する評価情報がユーザにより入力される入力手段と、
前記コンテンツを構成する、前記映像及び前記音の少なくとも何れか一方を出力する出力装置により出力された映像又は音を検出する検出手段と、
前記入力された評価情報と、前記検出された映像又は音を示す検出情報と、を前記サーバ装置へ送信する送信手段と、
を備え、
前記サーバ装置は、
前記コンテンツを構成する、前記映像又は前記音を示すコンテンツ情報を取得する取得手段と、
前記端末装置から前記評価情報及び前記検出情報を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
を備えることを特徴とする評価システム。
【請求項２】
前記コンテンツは、放送されるコンテンツであり、
前記コンテンツの放送中に、前記端末装置として複数の端末装置それぞれから前記サーバ装置へ前記評価情報及び前記検出情報が送信され、
前記サーバ装置は、
前記複数の端末装置のうち少なくとも一の端末装置による前記評価情報及び前記検出情報の少なくとも何れか一方の送信タイミングが、前記複数の端末装置のうち他の少なくとも一の端末装置による送信タイミングと相違するように、前記複数の端末装置それぞれについて、前記送信タイミングを決定するタイミング決定手段と、
前記決定された送信タイミングを示すタイミング情報を、前記複数の端末装置それぞれに送信するタイミング情報送信手段と、
を更に備え、
前記端末装置は、
前記サーバ装置から前記タイミング情報を受信するタイミング情報受信手段を更に備え、
前記送信手段は、前記受信されたタイミング情報に従って、前記評価情報及び前記検出情報の少なくとも何れか一方を送信することを特徴とする請求項１に記載の評価システム。
【請求項３】
前記タイミング情報送信手段は、前記少なくとも一の端末装置による送信タイミングの間隔の間に、前記他の少なくとも一の端末装置による送信タイミングを決定することを特徴とする請求項２に記載の評価システム。
【請求項４】
前記検出手段及び前記送信手段は、所定時間間隔を置いて繰り返し前記映像又は前記音を検出して前記検出情報を送信し、
前記選択手段は、前記受信手段により前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする請求項１乃至３の何れか１項に記載の評価システム。
【請求項５】
前記選択手段は、前記受信手段により所定時間間隔を置いて繰り返し受信される前記検出情報のうち、前記評価情報の入力時刻から相対的に近い時刻に検出された映像又は音をそれぞれ示す２以上の検出情報と前記コンテンツ情報との比較結果に基づいて、前記選択を行うことを特徴とする請求項４に記載の評価システム。
【請求項６】
前記検出手段及び前記送信手段は、前記評価情報が入力されたときに前記映像又は前記音を検出して、前記評価情報とともに前記検出情報をサーバ装置へ送信し、
前記選択手段は、前記コンテンツ情報が、前記検出情報と一致すると判定される部分を有する場合、前記検出情報とともに受信された前記評価情報を、前記コンテンツの評価に用いるよう選択することを特徴とする請求項１乃至３の何れか１項に記載の評価システム。
【請求項７】
前記選択手段は、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする請求項６に記載の評価システム。
【請求項８】
前記取得手段は、前記コンテンツを構成する前記映像又は前記音の特徴を示す特徴情報の時系列で構成される特徴情報時系列データから変換された特定情報の時系列で構成される特定情報時系列データであって、各前記特定情報に基づいて対応する前記特徴情報が特定可能であり、且つ各前記特定情報の情報量は、対応する前記特徴情報の情報量よりも少ない特定情報時系列データを、前記コンテンツ情報として取得し、
前記端末装置は、
前記特徴情報時系列データを事前に取得する特徴情報時系列データ取得手段と、
前記検出された映像又は音の特徴を示す特徴情報を抽出する抽出手段と、
前記取得された特徴情報時系列データに含まれる前記特徴情報のうち、前記抽出された特徴情報との間の一致度が所定値を超える特徴情報を特定する特定情報であって、該特徴情報の情報量よりも少ない情報量の特定情報を生成する生成手段と、
を更に備え、
前記送信手段は、前記生成された特定情報を、前記検出情報として送信し、
前記選択手段は、前記特徴情報時系列データに含まれる前記特定情報のうち、前記検出情報として受信された前記特定情報と一致する特定情報に対応する前記出力時刻を、前記入力時刻として特定することを特徴とする請求項７に記載の評価システム。
【請求項９】
前記特定情報は、前記特徴情報のハッシュ値であることを特徴とする請求項８に記載の評価システム。
【請求項１０】
映像及び音の少なくとも何れか一方で構成されるコンテンツを構成する、前記映像又は前記音を示すコンテンツ情報を取得する取得手段と、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
を備えることを特徴とするサーバ装置。
【請求項１１】
映像及び音の少なくとも何れか一方で構成されるコンテンツに対する評価情報がユーザにより入力される入力手段と、
前記コンテンツを構成する、前記映像及び前記音の少なくとも何れか一方を出力する出力装置により出力された映像又は音を検出する検出手段と、
前記入力された評価情報と、前記検出された映像又は音を示す検出情報とを、前記コンテンツを構成する、前記映像及び前記音の少なくとも何れか一方を示すコンテンツ情報と、前記検出情報と、の比較結果比較結果により、前記コンテンツ情報と前記検出情報との間に所定の一致がある場合、前記評価情報を前記コンテンツの評価に用いるよう選択するサーバ装置へ送信する送信手段と、
を備えることを特徴とする端末装置。
【請求項１２】
端末装置と、前記端末装置とネットワークを介して接続されるサーバ装置と、を含む評価システムにおける情報処理方法において、
前記サーバ装置が、映像及び音の少なくとも何れか一方で構成されるコンテンツを構成する、前記映像又は前記音を示すコンテンツ情報を取得する取得ステップと、
前記端末装置が、前記端末装置が備える入力手段にユーザにより入力された、前記コンテンツに対する評価情報を取得する評価情報取得ステップと、
前記端末装置が、前記コンテンツを構成する、前記映像及び前記音の少なくとも何れか一方を出力する出力装置により出力された映像又は音を検出する検出ステップと、
前記端末装置が、前記取得された評価情報と、前記検出された映像又は音を示す検出情報と、を前記サーバ装置へ送信する送信ステップと、
前記サーバ装置が、前記端末装置から前記評価情報及び前記検出情報を受信する受信ステップと、
前記サーバ装置が、前記取得されたコンテンツ情報と前記受信された検出情報とを比較する比較ステップと、
前記サーバ装置が、前記比較ステップによる比較結果により、前記コンテンツ情報と前記検出情報との間に所定の一致があることが示される場合、前記受信された評価情報を前記コンテンツの評価に用いるよう選択するする選択ステップと、
を含むことを特徴とする情報処理方法。
【請求項１３】
サーバ装置のコンピュータにより実行される情報処理方法において、
映像及び音の少なくとも何れか一方で構成されるコンテンツを構成する、前記映像又は前記音を示すコンテンツ情報を取得する取得ステップと、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信ステップと、
前記取得されたコンテンツ情報と前記受信された検出情報とを比較する比較ステップと、
前記比較ステップによる比較結果により、前記コンテンツ情報と前記検出情報との間に所定の一致がある場合、前記受信された評価情報を前記コンテンツの評価に用いるよう選択する選択ステップと、
を含む情報処理方法。
【請求項１４】
端末装置のコンピュータにより実行される情報処理方法において、
前記端末装置が備える入力手段にユーザにより入力された、映像及び音の少なくとも何れか一方で構成されるコンテンツに対する評価情報を取得する評価情報取得ステップと、
前記コンテンツを構成する、前記映像及び前記音の少なくとも何れか一方を出力する出力装置により出力された映像又は音を検出する検出ステップと、
前記取得された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致があることが示される場合、前記評価情報を前記コンテンツの評価に用いるよう選択するサーバ装置へ送信する送信ステップと、
を含む情報処理方法。
【請求項１５】
サーバ装置のコンピュータを、
映像及び音の少なくとも何れか一方で構成されるコンテンツを構成する、前記映像又は前記音を示すコンテンツ情報を取得する取得手段と、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
として機能させることを特徴とする情報処理プログラム。
【請求項１６】
端末装置のコンピュータを、
前記端末装置が備える入力手段にユーザにより入力された、映像及び音の少なくとも何れか一方で構成されるコンテンツに対する評価情報を取得する評価情報取得手段と、
前記コンテンツを構成する、前記映像及び前記音の少なくとも何れか一方を出力する出力装置により出力された映像又は音を検出する検出手段から、前記検出された映像又は音を示す検出情報を取得する検出情報取得手段と、
前記取得された評価情報と、前記取得された検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、
として機能させることを特徴とする情報処理プログラム。
【発明の詳細な説明】
【技術分野】
【０００１】
本発明は、映像及び音の少なくとも何れか一方で構成されるコンテンツをユーザが視聴してそのコンテンツに対する評価情報を入力するための評価システムの技術分野に関する。
【背景技術】
【０００２】
従来、例えばテレビ放送番組等のコンテンツの視聴者がそのコンテンツに対する評価情報を入力することを可能とし、各視聴者からの評価情報を集計、分析等するためのシステムが知られている。例えば、テレビ受像機で番組視聴中に、テレビ受像機のリモコンにおいて所定のボタンが押下されると、テレビ受像機の画面に番組に関する選択肢が表示される。リモコンのカラーボタンの何れかが押下されると、押下されたボタンに対応する選択肢が選択されて、選択結果がテレビ受像機から放送局側へ送信される。また、特許文献１には、テレビ放送の視聴者の嗜好を把握するための技術が開示されている。具体的に、セットトップボックスのリモコンに、放送中の人、物、音楽等に対する視聴者の嗜好を通知するための通知ボタンが備えられる。通知ボタンが押下されると、セットトップボックスは、これを視聴イベントとして視聴ログを記憶して所定時間間隔ごとに視聴ログを放送装置へ送信する。放送装置は、番組制作者等が設定した条件に合致する視聴イベントをカウントする。【０００３】
上述した技術においては、テレビ放送信号を受信してテレビ番組の映像を表示するためのテレビ受像機又はセットトップボックス等に専用のリモコンが用いられ、テレビ受像機又はセットトップボックス等を介して評価情報が放送局又は番組制作者側へ送信されるので、ユーザが実際に番組を視聴して評価情報を入力したことが保証される。そのため、入力された評価情報の信頼性が確保される。【０００４】
しかしながら、例えば携帯電話機、タブレット式コンピュータ等の汎用の端末装置をユーザによる評価情報の入力に用い、他の用途にも用いることができるような汎用性の高いシステムにてコンテンツに対する各ユーザの評価情報の集計、分析等を行う場合には、評価情報の信頼性を如何にして確保するかが課題となる。その理由は、そのような端末装置を用いた場合、端末装置をテレビ受像機に対する評価入力用として専用化できていないので、ユーザによる評価情報の入力行為が、テレビ受像機を見た実際の番組の視聴行為とは無関係に行われ易くなるからである。【０００５】
なお、特許文献２には、携帯通信装置が、テレビ受像機のスピーカから出力された音声を、内蔵するマイクにて取得して音声データを記憶するとともに、携帯通信装置が内蔵するチューナにて放送番組データを取得して音声データを抽出し、音声データ同士を比較することに基づいて、放送番組の視聴状況を示すデータを記憶することが開示されている。しかし、特許文献２に開示された技術では、視聴者による放送番組の視聴状況を評価しようとしているが、放送番組それ自体の評価を目的としていない。
【先行技術文献】
【特許文献】
【０００６】
【特許文献１】特開２０００−３３３１５４号公報
【特許文献２】特開２０１７−０６００６０号公報
【発明の概要】
【発明が解決しようとする課題】
【０００７】
本発明は、以上の点に鑑みてなされたものであり、汎用の端末装置を用いてコンテンツを評価する場合においても、コンテンツに対する評価情報の信頼性を確保可能な評価システム、サーバ装置、端末装置、情報処理方法、及び情報処理プログラムを提供することを目的とする。
【課題を解決するための手段】
【０００８】
上記課題を解決するために、本発明の一の形態は、端末装置と、前記端末装置とネットワークを介して接続されるサーバ装置と、を含む評価システムにおいて、前記端末装置は、映像及び音の少なくとも何れか一方で構成されるコンテンツに対する評価情報がユーザにより入力される入力手段と、前記コンテンツを構成する、前記映像及び前記音の少なくとも何れか一方を出力する出力装置により出力された映像又は音を検出する検出手段と、前記入力された評価情報と、前記検出された映像又は音を示す検出情報と、を前記サーバ装置へ送信する送信手段と、を備え、前記サーバ装置は、前記コンテンツを構成する、前記映像又は前記音を示すコンテンツ情報を取得する取得手段と、前記端末装置から前記評価情報及び前記検出情報を受信する受信手段と、前記取得されたコンテンツ情報と前記受信された検出情報とを比較する比較手段と、前記比較手段による比較結果により、前記コンテンツ情報と前記検出情報との間に所定の一致がある場合 、前記受信された評価情報を前記コンテンツの評価に用いるよう選択する選択手段と、 を備えることを特徴とする。【０００９】
この発明によれば、端末装置により検出された映像又は音を示す検出情報と、サーバ装置が取得しているコンテンツの映像又は音を示すコンテンツ情報との比較に基づいて、評価対象のコンテンツを実際にユーザが観ているか否か又は聴いているか否かを推定することが可能である。従って、ユーザがコンテンツを観ているか又は聴いて入力したと推定される評価情報を優先的に、コンテンツの評価に用いることができる。そのため、評価情報の信頼性を確保することが可能となる。【００１０】
本発明の一の形態は、さらに、前記コンテンツは、放送されるコンテンツであり、前記コンテンツの放送中に、前記端末装置として複数の端末装置それぞれから前記サーバ装置へ前記評価情報及び前記検出情報が送信され、前記サーバ装置は、前記複数の端末装置のうち少なくとも一の端末装置による前記評価情報及び前記検出情報の少なくとも何れか一方の送信タイミングが、前記複数の端末装置のうち他の少なくとも一の端末装置による送信タイミングと相違するように、前記複数の端末装置それぞれについて、前記送信タイミングを決定するタイミング決定手段と、前記決定された送信タイミングを示すタイミング情報を、前記複数の端末装置それぞれに送信するタイミング情報送信手段と、を更に備え、前記端末装置は、前記サーバ装置から前記タイミング情報を受信するタイミング情報受信手段を更に備え、前記送信手段は、前記受信されたタイミング情報に従って、前記評価情報及び前記検出情報の少なくとも何れか一方を送信することを特徴とする。【００１１】
この発明によれば、コンテンツの放送中に複数の端末装置それぞれからサーバ装置へ評価情報及び検出情報が送信される態様であっても、評価情報及び検出情報の少なくとも何れか一方の送信タイミングが複数に分散される。従って、サーバ装置の処理負荷を時間軸方向に分散させることができる。【００１２】
本発明の一の形態は、さらに、前記タイミング情報送信手段は、前記少なくとも一の端末装置による送信タイミングの間隔の間に、前記他の少なくとも一の端末装置による送信タイミングを決定することを特徴とする。【００１３】
この発明によれば、少なくとも一の端末装置による送信タイミングと他の少なくとも一の端末装置による送信タイミングとがずれるので、単位時間当たりにサーバ装置が受信する情報の数が均一化されるので、サーバ装置の処理負荷を更に分散させることができる。【００１４】
本発明の一の形態は、さらに、前記検出手段及び前記送信手段は、所定時間間隔を置いて繰り返し前記映像又は前記音を検出して前記検出情報を送信し、前記選択手段は、前記受信手段により所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする。【００１５】
この発明によれば、サーバ装置は、ユーザが評価情報を入力した時刻に近い時刻に検出された映像又は音を示す検出情報を用いて、評価情報をコンテンツの評価に用いるか否かを判定する。そのため、端末装置が映像又は音の検出及び検出情報の送信を定期的に実行する態様においても、評価情報を入力した時点においてユーザがコンテンツを観ているか否か又は聴いているか否かの推定精度を高めることができる。【００１６】
本発明の一の形態は、さらに、前記選択手段は、前記受信手段により定期的に受信される前記検出情報のうち、前記評価情報の入力時刻から相対的に近い時刻に検出された映像又は音をそれぞれ示す２以上の検出情報と前記コンテンツ情報との比較結果に基づいて、前記選択を行うことを特徴とする。【００１７】
この発明によれば、ユーザが評価情報を入力した時刻に近い時刻に検出された映像又は音を示す２以上の検出情報が用いられる。そのため、評価情報を入力した時点においてユーザがコンテンツを観ているか否か又は聴いているか否かの推定精度を更に高めることができる。【００１８】
本発明の一の形態は、さらに、前記検出手段及び前記送信手段は、前記評価情報が入力されたときに前記映像又は前記音を検出して、前記評価情報とともに前記検出情報をサーバ装置へ送信し、前記選択手段は、前記コンテンツ情報が、前記検出情報と一致すると判定される部分を有する場合、前記検出情報とともに受信された前記評価情報を、前記コンテンツの評価に用いるよう選択することを特徴とする。【００１９】
この発明によれば、サーバ装置は、ユーザが評価情報を入力した時点で検出された映像又は音を示す検出情報を用いて、その評価情報をコンテンツの評価に用いるか否かを判定する。そのため、評価情報を入力した時点においてユーザがコンテンツを観ているか否か又は聴いているか否かの推定精度を高めることができる。【００２０】
本発明の一の形態は、さらに、前記選択手段は、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする。【００２１】
この発明によれば、サーバ装置は、ユーザが評価情報を入力した時点で検出された映像又は音と一致する、コンテンツにおける映像又は音の出力時刻を、評価情報の入力時刻として特定する。そのためコンテンツの何れの場面に対して入力された評価情報であるかを適切に特定することが可能であるので、コンテンツに対して適切な評価を行うことができる。【００２２】
本発明の一の形態は、さらに、前記取得手段は、前記コンテンツを構成する前記映像又は前記音の特徴を示す特徴情報の時系列で構成される特徴情報時系列データから変換された特定情報の時系列で構成される特定情報時系列データであって、各前記特定情報に基づいて対応する前記特徴情報が特定可能であり、且つ各前記特定情報の情報量は、対応する前記特徴情報の情報量よりも少ない特定情報時系列データを、前記コンテンツ情報として取得し、前記端末装置は、前記特徴情報時系列データを事前に取得する特徴情報時系列データ取得手段と、前記検出された映像又は音の特徴を示す特徴情報を抽出する抽出手段と、前記取得された特徴情報時系列データに含まれる前記特徴情報のうち、前記抽出された特徴情報との間の一致度が所定値を超える特徴情報を特定する特定情報であって、該特徴情報の情報量よりも少ない情報量の特定情報を生成する生成手段と、を更に備え、前記送信手段は、前記生成された特定情報を、前記検出情報として送信し、前記選択手段は、前記特徴情報時系列データに含まれる前記特定情報のうち、前記検出情報として受信された前記特定情報と一致する特定情報に対応する前記出力時刻を、前記入力時刻として特定することを特徴とする。【００２３】
この発明によれば、端末装置が、コンテンツの出力前に取得しておいたそのコンテンツの特徴情報時系列データと、検出された映像又は音から抽出された特徴情報とを比較する。端末装置は、特徴情報時系列データの中に、抽出された特徴情報との間の一致度が所定値を超える特徴情報が存在する場合、この特徴情報から情報量がより少ない特定情報を生成して、この特定情報を検出情報としてサーバ装置へ送信する。サーバ装置は、特徴情報時系列データから変換された特定情報時系列データと、端末装置から受信された特定情報を比較する。サーバ装置は、特定情報時系列データのうち、受信された特定情報と一致する特定情報に対応する映像又は音の出力装置による出力時刻を、評価情報の入力時刻として取得する。従って、検出情報の情報量が削減されるので、端末装置及びサーバ装置の通信負荷を削減することができる。【００２４】
本発明の一の形態は、さらに、前記特定情報は、前記特徴情報のハッシュ値であることを特徴とする。【００２５】
本発明の一の形態は、映像及び音の少なくとも何れか一方で構成されるコンテンツを構成する、前記映像又は前記音を示すコンテンツ情報を取得する取得手段と、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、前記取得されたコンテンツ情報と前記受信された検出情報とを比較する比較手段と、前記比較手段による比較結果により、前記コンテンツ情報と前記検出情報との間に所定の一致がある場合 、前記受信された評価情報を前記コンテンツの評価に用いるよう選択する選択手段と、を備えることを特徴とする。【００２６】
本発明の一の形態は、映像及び音の少なくとも何れか一方で構成されるコンテンツに対する評価情報がユーザにより入力される入力手段と、前記コンテンツを構成する、前記映像及び前記音の少なくとも何れか一方を出力する出力装置により出力された映像又は音を検出する検出手段と、前記入力された評価情報と、前記検出された映像又は音を示す検出情報とを、前記コンテンツを構成する、前記映像及び前記音の少なくとも何れか一方を示すコンテンツ情報と、前記検出情報と、の比較結果比較結果により、前記コンテンツ情報と前記検出情報との間に所定の一致がある場合、前記評価情報を前記コンテンツの評価に用いるよう選択するサーバ装置へ送信する送信手段と、を備えることを特徴とする。【００２７】
本発明の一の形態は、端末装置と、前記端末装置とネットワークを介して接続されるサーバ装置と、を含む評価システムにおける情報処理方法において、前記サーバ装置が、映像及び音の少なくとも何れか一方で構成されるコンテンツを構成する、前記映像又は前記音を示すコンテンツ情報を取得する取得ステップと、前記端末装置が、前記端末装置が備える入力手段にユーザにより入力された、前記コンテンツに対する評価情報を取得する評価情報取得ステップと、前記端末装置が、前記コンテンツを構成する、前記映像及び前記音の少なくとも何れか一方を出力する出力装置により出力された映像又は音を検出する検出ステップと、前記端末装置が、前記取得された評価情報と、前記検出された映像又は音を示す検出情報と、を前記サーバ装置へ送信する送信ステップと、前記サーバ装置が、前記端末装置から前記評価情報及び前記検出情報を受信する受信ステップと、前記サーバ装置が、前記取得されたコンテンツ情報と前記受信された検出情報とを比較する比較ステップと、前記サーバ装置が、前記比較ステップによる比較結果により、前記コンテンツ情報と前記検出情報との間に所定の一致がある場合、前記受信された評価情報を前記コンテンツの評価に用いるよう選択するする選択ステップと、を含むことを特徴とする。【００２８】
本発明の一の形態は、サーバ装置のコンピュータにより実行される情報処理方法において、映像及び音の少なくとも何れか一方で構成されるコンテンツを構成する、前記映像又は前記音を示すコンテンツ情報を取得する取得ステップと、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信ステップと、前記取得されたコンテンツ情報と前記受信された検出情報とを比較する比較ステップと、前記比較ステップによる比較結果により、前記コンテンツ情報と前記検出情報との間に所定の一致がある場合、前記受信された評価情報を前記コンテンツの評価に用いるよう選択する選択ステップと、を含むことを特徴とする。【００２９】
本発明の一の形態は、端末装置のコンピュータにより実行される情報処理方法において、前記端末装置が備える入力手段にユーザにより入力された、映像及び音の少なくとも何れか一方で構成されるコンテンツに対する評価情報を取得する評価情報取得ステップと、前記コンテンツを構成する、前記映像及び前記音の少なくとも何れか一方を出力する出力装置により出力された映像又は音を検出する検出ステップと、前記取得された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信ステップと、を含むことを特徴とする。【００３０】
本発明の一の形態は、サーバ装置のコンピュータを、映像及び音の少なくとも何れか一方で構成されるコンテンツを構成する、前記映像又は前記音を示すコンテンツ情報を取得する取得手段と、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、として機能させることを特徴とする。【００３１】
本発明の一の形態は、端末装置のコンピュータを、前記端末装置が備える入力手段にユーザにより入力された、映像及び音の少なくとも何れか一方で構成されるコンテンツに対する評価情報を取得する評価情報取得手段と、前記コンテンツを構成する、前記映像及び前記音の少なくとも何れか一方を出力する出力装置により出力された映像又は音を検出する検出手段から、前記検出された映像又は音を示す検出情報を取得する検出情報取得手段と、前記取得された評価情報と、前記取得された検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、として機能させることを特徴とする。
【発明の効果】
【００３２】
本発明によれば汎用の端末装置を用いてコンテンツを評価する場合においても、コンテンツに対する評価情報の信頼性を確保することができる。
【図面の簡単な説明】
【００３３】
【図１】一実施形態に係る番組評価システムＳの概要構成の一例を示す図である。
【図２Ａ】一実施形態に係るサーバ１の概要構成の一例を示すブロック図である。
【図２Ｂ】一実施形態に係るサーバ１のシステム制御部１１の機能ブロックの一例を示す図である。
【図３Ａ】一実施形態に係るユーザ端末２の概要構成の一例を示すブロック図である。
【図３Ｂ】一実施形態に係るユーザ端末２のシステム制御部２１の機能ブロックの一例を示す図である。
【図４Ａ】番組評価システムＳにおける処理概要の一例を示す図である。
【図４Ｂ】評価情報を番組の評価に用いるか否かを決定する方法の一例を示す図である。
【図５】番組に対する評価情報を入力するための入力画面の一例を示す図である。
【図６】複数のユーザ端末２による情報の送信タイミングの一例を示す図である。
【図７】生成されたレポートの一例を示す図である。
【図８】ユーザ端末２のシステム制御部２１により実行される端末処理の一例を示すフローチャートである。
【図９】サーバ１のシステム制御部１１により実行されるサーバ処理の一例を示すフローチャートである。
【図１０】番組評価システムＳにおける処理概要の一例を示す図である。
【図１１】ユーザ端末２のシステム制御部２１により実行される端末処理の一例を示すフローチャートである。
【図１２】サーバ１のシステム制御部１１により実行されるサーバ処理の一例を示すフローチャートである。
【発明を実施するための形態】
【００３４】
以下、図面を参照して本発明の実施形態について詳細に説明する。本発明において評価対象となり得るコンテンツは、映像（特に動画）及び音の少なくとも何れか一方で構成される。コンテンツの配信形態の例としては、放送、オンデマンド配信等が挙げられる。放送形態の例として、地上デジタルテレビ放送、衛星放送、ケーブルテレビ、ラジオ放送、インターネット放送等が挙げられる。オンデマンド配信の形態の例として、衛星放送、ケーブルテレビ、インターネット等が挙げられる。以下に説明する実施形態は、地上デジタルテレビ放送における番組を評価するためのシステムに対して本発明を適用した場合の実施形態である。
【００３５】
［１．第１実施形態］
【００３６】
［１−１．番組評価システムの構成］
【００３７】
先ず、本実施形態に係る番組評価システムＳの構成について、図１を用いて説明する。図１は、本実施形態に係る番組評価システムＳの概要構成の一例を示す図である。
【００３８】
図１に示すように、番組評価システムＳは、サーバ１と、１又は複数のユーザ端末２と、を含んで構成されている。サーバ１と各ユーザ端末２とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００３９】
サーバ１は、放送局３により放送されるテレビ番組に対するユーザの評価を集計又は分析するためのサーバ装置である。サーバ１は、各ユーザによる評価の信頼性を判定するために、評価対象の番組の音を示す情報を、番組音情報として、その番組の放送中に又は放送前に取得する。評価対象の番組の放送中に、サーバ１は、各ユーザ端末２から、ユーザによる評価を示す評価情報を受信する。また、サーバ１は、各ユーザ端末２から、ユーザ端末２により検出された音を示す音声データを、検出音情報を受信する。そして、サーバ１は、検出音情報に基づいて、ユーザ端末２からの評価情報を、番組の評価に用いるか否かを判定する。
【００４０】
各ユーザ端末２は、番組評価システムＳに会員登録しているユーザにより利用される。各ユーザが、それぞれのテレビ受像機４にて評価対象番組を視聴しているとき、そのユーザが利用するユーザ端末２は、テレビ受像機４から出力される音を検出して、検出音情報をサーバ１へ送信する。また、各ユーザ端末２は、ユーザにより番組に対する評価が入力されると、入力された評価を示す評価情報をサーバ１へ送信する。番組の視聴中、単位時間当たりにユーザが評価情報を入力することができる回数に特に上限は設けられていない。例えば、ユーザは数秒間隔又は数百ミリ秒間隔で評価情報を入力してもよい。ユーザ端末２は、携帯可能なコンピュータであることが望ましいが、据え置き型のコンピュータであってもよい。ユーザ端末２の例として、スマートフォン、タブレット式コンピュータ等の携帯情報端末、携帯電話機、ＰＤＡ（Personal Digital Assistant）、パーソナルコンピュータ等が挙げられる。
【００４１】
［１−２．サーバの構成］
【００４２】
次に、サーバ１の構成について、図２Ａを用いて説明する。図２Ａは、本実施形態に係るサーバ１の概要構成の一例を示すブロック図である。図２Ａに示すように、サーバ１は、システム制御部１１と、システムバス１２と、入出力インターフェース１３と、記憶部１４と、通信部１５と、を備えている。システム制御部１１と入出力インターフェース１３とは、システムバス１２を介して接続されている。
【００４３】
システム制御部１１は、ＣＰＵ（Central Processing Unit）１１ａ、ＲＯＭ（Read Only Memory）１１ｂ、ＲＡＭ（Random Access Memory）１１ｃ等により構成されている。ＣＰＵ１１ａは、プロセッサの一例である。なお、本発明は、ＣＰＵと異なる様々なプロセッサに対しても適用可能である。記憶部１４、ＲＯＭ１１ｂ及びＲＡＭ１１ｃは、それぞれメモリの一例である。なお、本発明は、ハードディスク、ＲＯＭ及びＲＡＭと異なる様々なメモリに対しても適用可能である。
【００４４】
入出力インターフェース１３は、記憶部１４及び通信部１５とシステム制御部１１との間のインターフェース処理を行う。
【００４５】
記憶部１４は、例えば、ハードディスクドライブ等により構成されている。この記憶部１４には、放送局３から取得された番組音情報が記憶される。また、記憶部１４には、各ユーザ端末２から受信された評価情報が記憶される。また、記憶部１４には、ユーザデータベースが記憶されている。ユーザデータベースには、番組評価システムＳに会員登録されているユーザに関する情報が記憶される。例えば、ユーザデータベースには、ユーザＩＤ、氏名、生年月日、性別、職業等のユーザの属性が、ユーザごとに関連付けて記憶される。ユーザＩＤは、ユーザを識別する情報である。更に、記憶部１４には、オペレーティングシステム、サーバプログラム等の各種プログラムが記憶されている。サーバプログラムは、番組情報の取得、評価情報及び検出音情報の受信、評価情報を利用するか否かの判定等を実行するためのプログラムである。サーバプログラムは、例えば、他のサーバ装置等からネットワークＮＷを介して取得されるようにしてもよいし、磁気テープ、光ディスク、メモリカード等の記録媒体に記録されてドライブ装置を介して読み込まれるようにしてもよい。
【００４６】
通信部１５は、ネットワークＮＷに接続して、各ユーザ端末２との間の通信状態を制御する。
【００４７】
［１−３．ユーザ端末の構成］
【００４８】
次に、ユーザ端末２の構成について、図３Ａを用いて説明する。図３Ａは、本実施形態に係るユーザ端末２の概要構成の一例を示すブロック図である。図３Ａに示すように、ユーザ端末２は、システム制御部２１と、システムバス２２と、入出力インターフェース２３と、記憶部２４と、通信部２５と、操作入力部２６と、表示部２７と、マイク２８と、カメラ２９とを備えている。システム制御部２１と入出力インターフェース２３とは、システムバス２２を介して接続されている。
【００４９】
システム制御部２１は、ＣＰＵ２１ａ、ＲＯＭ２１ｂ、ＲＡＭ２１ｃ等により構成されている。
【００５０】
入出力インターフェース２３は、記憶部２４〜カメラ２９とシステム制御部２１との間のインターフェース処理を行う。
【００５１】
記憶部２４は、例えば、フラッシュメモリ、ハードディスクドライブ等により構成されている。この記憶部２４には、オペレーティングシステム、ウェブブラウザ、番組評価アプリケーション等の各種プログラムが記憶される。番組評価アプリケーションは、番組評価システムＳを利用するための処理を行うためのプログラムである。番組評価アプリケーションは、例えば、サーバ１等のサーバ装置からネットワークＮＷを介して取得されるようにしてもよいし、光ディスク、メモリカード等の記録媒体に記録されてドライブ装置を介して読み込まれるようにしてもよい。なお、番組評価アプリケーションは、ウェブアプリケーションであってもよい。
【００５２】
通信部２５は、ネットワークＮＷに接続して、サーバ１との間の通信状態を制御する。
【００５３】
操作入力部２６は、ユーザによる操作を受け付け、操作内容に対応する信号をシステム制御部２１に出力する。操作入力部２６の例として、タッチパネル、ボタン、スイッチ、キー、キーボード、マウス等が挙げられる。操作入力部２６は、放送番組に対する評価情報がユーザにより入力される手段として機能する。
【００５４】
表示部２７は、システム制御部２１の制御により、画像、文字等の情報を表示する。表示部２７の例として、液晶ディスプレイ、有機ＥＬ（Electro Luminescence）ディスプレイ等が挙げられる。
【００５５】
マイク２８は、音波を音声信号に変換して、音声信号をシステム制御部２１へ出力するデバイスである。マイク２８は、テレビ受像機４から出力された放送番組の音を検出する手段として機能する。
【００５６】
カメラ２９は、静止画又は動画を撮影する。カメラ２９は、例えばＣＣＤ（Colony Collapse Disorder）イメージセンサ等により構成されている。
【００５７】
［１−４．機能概要］
【００５８】
次に、図２Ｂ、図３Ｂ乃至図６を用いて、サーバ１のシステム制御部１１、及びユーザ端末２のシステム制御部２１の機能概要を説明する。
【００５９】
図３Ｂは、本実施形態に係るユーザ端末２のシステム制御部２１の機能ブロックの一例を示す図である。システム制御部２１は、ＣＰＵ２１ａが、番組評価アプリケーションに含まれる各種コードを読み出し実行することにより、図３Ｂに示すように、評価情報取得部２１１、検出情報取得部２１２、評価情報・検出情報送信部２１３等として機能する。
【００６０】
図４Ａは、番組評価システムＳにおける処理概要の一例を示す図である。評価情報取得部２１１は、放送番組に対してユーザにより入力された評価情報を操作入力部２６から取得する。図４Ａに示すように、ユーザは、通常であればテレビ受像機４により評価対象の放送番組を視聴しながら、ユーザ端末２に評価情報を入力する。
【００６１】
図５は、番組に対する評価情報を入力するための入力画面の一例を示す図である。番組評価アプリケーションを起動してユーザが番組調査の開始操作を行うことにより、評価情報取得部２１１は、ユーザ端末２の表示部２７に、図５に示す入力画面を表示させる。評価情報取得部２１１は、例えば、評価対象の番組の放送時間帯にのみ入力画面が表示可能となるように、表示制御を行ってもよい。入力画面は、例えば評価ボタン１０１及び１０２、コメント入力領域１０３、コメント送信ボタン１０４等により構成されてもよい。評価ボタン１０１は、番組がつまらないとユーザが感じたときに押されるボタンである。評価ボタン１０１が押されると、評価情報取得部２１１は、「つまらない」を示す評価情報を取得する。評価ボタン１０２は、番組がおもしろいとユーザが感じたときに押されるボタンである。評価ボタン１０２が押されると、評価情報取得部２１１は、「おもしろい」を示す評価情報を取得する。コメント入力領域１０３は、番組に対するコメントを入力するためのボタンである。コメント送信ボタン１０４は、コメント入力領域１０３に入力されたコメントを送信するためのボタンである。コメント送信ボタン１０４が押されると、評価情報取得部２１１は、入力されたコメントの文字列を含む評価情報を取得する。なお、番組に対する評価は、「おもしろい」、「つまらない」及びコメントに限定されるものではない。例えば、画面に表示されたインジケータバーのタッチ操作により「面白さ○○％」を入力できるものであってもよい。つまり、評価の程度や傾向を可視的に入力できるものであってもよい。その場合、インジケータバーを中央付近として選択するならば「面白さ５０％」として評価入力されることになる。その他様々な形態の評価が評価情報として入力可能である。
【００６２】
検出情報取得部２１２は、マイク２８により検出された音を示す検出音情報を取得する。図４Ａに示すように、ユーザが評価対象の放送番組を視聴しながら評価情報を入力する場合には、マイク２８により番組の音が検出されることになる。検出情報取得部２１２は、例えばマイク２８から出力された音声信号を変換することにより、検出音情報を生成してもよい。例えば、検出情報取得部２１２は、音声信号を解析することにより、音の波形の特徴を示す波形情報を、検出音情報として音声信号から抽出してもよい。例えば、検出情報取得部２１２は、複数の振幅帯域を定義し、所定のサンプリング間隔ごとに、音声信号の波形がサンプリングされる振幅帯域を特定してもよい。検出情報取得部２１２は、振幅帯域ごとの波形のサンプル数をカウントして、これらサンプル数の配列を波形情報として生成してもよい。或いは、検出情報取得部２１２は、音声信号を解析することにより、検出された音の特徴量を音声信号から抽出してもよい。例えば、離散フーリエ変換等を用いて特徴量が抽出される。検出情報取得部２１２は、この特徴量を検出音情報として取得する。或いは、音声信号がＭＰ３（MPEG-1 Audio Layer-3）等のフォーマットの音声データに変換されて、検出音情報として取得されてもよい。
【００６３】
検出情報取得部２１２は、マイク２８による音検出のオン／オフを制御する。例えば、検出情報取得部２１２は、評価対象の番組の放送中、常時音検出をオンにさせて検出音情報を取得してもよい。しかしながら、処理負荷、消費電力、ネットワーク負荷等を考慮すると、所定のタイミングにのみ検出を行うことが望ましい。例えば、検出情報取得部２１２は、所定時間間隔を置いて繰り返しマイク２８により音を検出させてもよい。音の検出間隔は、例えば１秒、５秒、１０秒、３０秒、１分等であってもよい。なお、音の検出間隔を短く設定するに従い、後述するコンテンツ評価をコンテンツの変化に応じてタイムリーに行うことができるようになり、コンテンツの作成や編集へのフィードバックを正確に行うことができるようになる。検出情報取得部２１２は、１回の音の検出ごとに、検出間隔よりも短い時間の間、マイク２８による音の検出を継続させる。或いは、検出情報取得部２１２は、ユーザにより評価情報が入力されたタイミングで、マイク２８により音を検出させてもよい。
【００６４】
評価情報・検出情報送信部２１３は、評価情報取得部２１１により取得された評価情報と、検出情報取得部２１２により取得された検出音情報を、サーバ１へ送信する。評価情報・検出情報送信部２１３は、例えば評価対象の番組の放送終了後に、評価情報及び検出音情報の少なくとも何れか一方をまとめて送信してもよい。一方で、評価情報・検出情報送信部２１３は、評価対象の番組の放送中に、評価情報及び検出音情報を送信してもよい。例えば、評価情報・検出情報送信部２１３は、評価情報が入力されたタイミングでこの評価情報を送信する一方で、検出音情報は所定時間間隔を置いて繰り返し送信してもよい。例えば、マイク２８により所定時間間隔を置いて繰り返し音の検出が行われる場合、評価情報・検出情報送信部２１３は、検出が行われるたびに検出音情報を送信してもよい。定期的に検出音情報がサーバ１へ送信されることにより、サーバ１において、評価対象の番組の放送中、ユーザによる番組の視聴状況を常時把握することができる。評価情報が入力されたタイミングでマイク２８により音の検出が行われる場合、評価情報・検出情報送信部２１３は、所定時間間隔を置いて繰り返し、検出音情報とともに評価情報を送信してもよい。この場合、評価情報が入力されてから、定期的な送信タイミングが到来するまで、評価情報及び検出音情報の送信が留保される。或いは、評価情報・検出情報送信部２１３は、評価情報が入力されたタイミングで、検出情報とともに評価情報を送信してもよい。なお、詳細は後述するが、評価情報・検出情報送信部２１３は、サーバ１から送信されてくるタイミング情報に従ったタイミングで、検出音情報を送信してもよい。
【００６５】
図２Ｂは、本実施形態に係るサーバ１のシステム制御部１１の機能ブロックの一例を示す図である。システム制御部１１は、ＣＰＵ１１ａが、サーバプログラムに含まれる各種コードを読み出し実行することにより、図２Ｂに示すように、番組情報取得部１１１、評価情報・検出情報受信部１１２、比較部１１３、評価情報利用決定部１１４、評価部１１５等として機能する。
【００６６】
番組情報取得部１１１は、評価対象の放送番組のコンテンツを構成する、映像及び音の少なくとも何れか一方を示すコンテンツ情報を取得する。本実施形態において、番組情報取得部１１１は、放送番組の音を示す番組音情報を、コンテンツ情報として取得する。例えば、評価対象の番組が事前に収録されている場合、サーバ１は、番組の放送開始前に、番組の音声データを、ネットワークＮＷを介して放送局３から受信してもよい。或いは、番組の音声データが記録媒体に記録されて、ドライブ装置を介してサーバ１にロードされてもよい。或いは、番組の放送中に、放送局３から発信された放送信号を図示せぬチューナが受信して、チューナにより放送信号から抽出された音声データをリアルタイムでサーバ１が取得してもよい。番組情報取得部１１１は、番組の音声データを番組音情報として記憶部１４に記憶させてもよい。或いは、番組情報取得部１１１は、ユーザ端末２の検出情報取得部２１２と同様に、音声データから番組の音の波形情報又は特徴量を所定時間間隔で抽出してもよい。そして、番組情報取得部１１１は、波形情報又は特徴量の時系列で構成される時系列データを、番組音情報としてデータベース化してもよい。この番組音情報において各波形情報又は特徴量は、評価対象の番組においてこの波形情報又は特徴量に対応する音が放送される時刻と関連付けられてもよい。この放送時刻は、絶対的な時刻であってもよいし、放送開始時刻からの相対的な時刻であってもよい。
【００６７】
評価情報・検出情報受信部１１２は、各ユーザ端末２から、評価情報及び検出音情報を受信する。上述したように、評価情報と検出音情報はともに送信されてきてもよいし、別々のタイミングで送信されてきてもよい。
【００６８】
ここで、複数のユーザ端末２から一斉に評価情報や検出音情報が送信されてくると、サーバ１の処理負荷や通信負荷、更にはネットワーク負荷が増大する可能性がある。そこで、評価情報・検出情報受信部１１２は、複数のユーザ端末２のうち少なくとも一のユーザ端末２による評価情報及び検出音情報の少なくとも何れか一方の送信タイミングが、複数のユーザ端末２のうち他の少なくとも一のユーザ端末２による評価情報及び検出音情報の少なくとも何れか一方の送信タイミングと相違するように、各ユーザ端末２について、評価情報及び検出音情報の少なくとも何れか一方の送信タイミングを決定してもよい。そして、サーバ１は、決定されたタイミングを示すタイミング情報を、複数のユーザ端末２それぞれに送信してもよい。例えば、評価情報・検出情報受信部１１２は、複数のユーザ端末２における少なくとも一のユーザ端末２による送信タイミングの間隔の間に、他の少なくとも一のユーザ端末２による送信タイミングを決定してもよい。これにより、単位時間当たりにサーバ装置が受信する検出情報の数が均一化される。この場合、サーバ１は、各ユーザ端末２により定期的に検出音情報を送信させることになる。
【００６９】
例えば、各ユーザ端末２による情報（評価情報及び検出音情報の少なくとも何れか一方）の送信周期をＰ秒とし、情報の送信タイミングをＮ個の送信タイミングに分散させるとする。また、番組放送開始からｉ番目の送信周期の開始時刻をＴｉとする。この場合、ｉ番目の周期における情報の送信タイミングは、例えばＴｉ＋０秒、Ｔｉ＋１×Ｐ／Ｎ秒、Ｔｉ＋２×Ｐ／Ｎ秒、・・・Ｔｉ＋（Ｎ−１）×Ｐ／Ｎ秒となる。０、１×Ｐ／Ｎ、２×Ｐ／Ｎ、・・・（Ｎ−１）×Ｐ／Ｎは、それぞれ開始時刻からのオフセットである。各ユーザ端末２は、例えば、番組の評価を開始するための操作がユーザにより行われたときに、サーバ１に対して通知を行ってもよい。評価情報・検出情報受信部１１２は、ユーザ端末２からの通知に応答して、複数の送信タイミングの中から一の送信タイミングを、その順序に従って循環的に又はランダムに決定してもよい。複数のユーザ端末２による送信タイミングが全体的として分散されればよいので、一部のユーザ端末２同士で送信タイミングが重なることは問題ない。評価情報・検出情報受信部１１２は、決定した送信タイミングを示すタイミング情報を、通知を送信してきたユーザ端末２へ送信する。ユーザ端末２の評価情報・検出情報送信部２１３は、タイミング情報に示されるタイミングに従って、情報を送信する。タイミング情報は、例えば送信周期の開始時刻（例えば毎分０秒等）、及びオフセット（例えば０秒、２０秒、４０秒等）等を含んでもよい。
【００７０】
図６は、複数のユーザ端末２による情報の送信タイミングの一例を示す図である。この例では、Ｐを６０秒とし、Ｎを３としている。図６において、ユーザ端末２−１は、サーバ１から「毎分０秒時」を示すタイミング情報を受信する。ユーザ端末２−２は、サーバ１から「毎分０秒から２０秒経過後」を示すタイミング情報を受信する。ユーザ端末２−３は、サーバ１から「毎分秒から４０秒経過後」を示すタイミング情報を受信する。時刻Ｔで或る送信周期が開始するとする。この場合、ユーザ端末２−１は、時刻Ｔ〜Ｔ＋２０秒の間に情報を送信する。ユーザ端末２−２は、時刻Ｔ＋２０〜Ｔ＋４０秒の間に情報を送信する。ユーザ端末２−３は、時刻Ｔ＋４０〜Ｔ＋６０秒の間に情報を送信する。更に、ユーザ端末２−１は、時刻Ｔ＋６０〜Ｔ＋８０秒の間に情報を送信する。ユーザ端末２−２は、時刻Ｔ＋８０〜Ｔ＋１００秒の間に情報を送信する。ユーザ端末２−３は、時刻Ｔ＋１００〜Ｔ＋１２０秒の間に情報を送信する。
【００７１】
比較部１１３は、番組情報取得部１１１により取得された番組音情報と、評価情報・検出情報受信部１１２により受信された検出音情報とを比較する。例えば番組音情報及び検出音情報が波形情報である場合、比較部１１３は、検出音情報に示される、ユーザ端末２により検出された音の波形情報又は特徴量と、番組音情報に示される番組の音の波形情報の時系列の各波形情報とを比較して、検出された音の波形情報と番組の音の波形情報との一致度を算出してもよい。例えば、振幅帯域ごとのサンプル数の一致及び不一致等に基づいて、一致度が算出されてもよい。比較部１１３は、番組音情報に示される波形情報の時系列のうち、ユーザ端末２において音が検出された時刻から前後所定時間内に放送される波形情報のみを、検出音情報と比較してもよい。番組音情報及び検出音情報が特徴量である場合も基本的には同様である。特徴量の場合の一致度は、例えばコサイン類似度等であってもよい。
【００７２】
評価対象の番組が複数存在し、それら複数の番組が同時間帯に放送される場合がある。この場合、例えばユーザが評価を行う番組を、ユーザ端末２を用いて選択可能なように、番組評価アプリケーションがプログラムされてもよい。比較部１１３は、選択された番組をユーザが視聴していると仮定し、選択された番組の番組音情報と、検出音情報とを比較する。或いは、比較部１１３は、複数の番組の番組音情報それぞれと、検出音情報とを比較して、一致度が最も高い番組を、ユーザが視聴している番組であると判定してもよい。
【００７３】
評価情報利用決定部１１４は、比較部１１３による比較結果により、番組音情報と検出音情報との間に所定の一致がある場合、評価情報・検出情報受信部１１２により受信された評価情報を、番組の評価に用いるよう選択する。例えば、評価情報利用決定部１１４は、図４Ａに示すように、ユーザ端末２により検出された音と、番組の一部の音とが一致すると判定した場合には、評価情報を評価に用いると決定し、一致しないと判定した場合には、評価情報を評価に用いないと決定してもよい。ユーザ端末２により検出された音と、番組の一部の音とが一致する場合、ユーザは、評価対象の番組を視聴して評価を行っている可能性が高いので、評価情報の信頼性が高い。一方、それらが一致しない場合、ユーザは、評価対象の番組を視聴している可能性が低いので、評価情報の信頼性が低い。具体的に、評価情報利用決定部１１４は、番組音情報が、検出音情報と一致すると判定される部分を有するか否かを判定する。例えば番組音情報及び検出音情報が波形情報である場合、評価情報利用決定部１１４は、番組音情報に含まれる波形情報のうち、ユーザ端末２により検出された音の波形情報との一致度が所定の閾値を超える波形情報が存在するか否かを判定する。評価情報利用決定部１１４は、そのような波形情報が存在する場合、検出された音と番組の音とが一致すると判定してもよい。本実施形態においては、正確な音声認識は不要であり、音声波形の一致性の判定を行うことができれば、ユーザが実際に番組を視聴しているか否かの判定が可能である。番組音情報及び検出音情報が特徴量である場合も評価情報利用決定部１１４の処理は基本的には同様である。ユーザ端末２のマイク２８により、番組の音とともに、ユーザ等の話し声や環境音等が検出される可能性がある。従って、閾値は、低めに設定されてもよい。この場合であっても、例えば所定数以上のタイミングでそれぞれ検出された音と番組の音との一致度を考慮することで、一致判定の正確度を高めることは可能である。例えば、評価情報利用決定部１１４は、全ての一致度が閾値を超える場合に、検出された音と番組の音とが一致すると判定してもよいし、一致度の平均値が閾値を超え且つ一致度の標準偏差が所定値未満である場合に、検出された音と番組の音とが一致すると判定してもよい。なお、ユーザ端末２のマイク２８により、ユーザ等の話し声や環境音等が検出される状況においては、前処理を行いノイズとして除去してもよい。ユーザ端末２が、所定時間間隔を置いて繰り返して、マイク２８による音の検出を実行して検出音情報を送信する場合、評価情報利用決定部１１４は、番組の音と検出された音との一致判定を所定時間間隔で実行することができる。この間隔を短くすることに従い、ユーザが評価情報を入力したときにユーザが番組を視聴しているか否かをリアルタイムに且つ的確に判定することができる。番組に対するユーザの興味は番組の進行に従って秒単位で変化し得るものであり、番組が面白くなければユーザはその番組の途中でもその番組の視聴を止め又は別の番組を視聴する。従って、番組に対する秒単位での評価情報は重要である。そのリアルタイムの評価情報の信頼性を確保することができる。
【００７４】
評価情報利用決定部１１４は、ユーザにより評価情報が入力された時刻と同時刻又は近い時刻にマイク２８により検出された音と、番組の音との比較に基づいて、その評価情報を番組の評価に用いるか否かを決定してもよい。評価対象の番組が放送されている間に、ユーザがその番組を視聴しているか否かが変化する場合がある。評価情報利用決定部１１４は、この視聴状況の変化に応じた決定を行う。図４Ｂは、評価情報を番組の評価に用いるか否かを決定する方法が実施される場合に生じ得るユーザ行動の一例を示す図である。図４Ｂに示すように、或るユーザが、例えば番組の放送が開始してから５分経過時に評価情報を入力した。この頃にマイク２８により検出された音と、番組の音が一致した。この場合、その評価情報は評価に用いられる。その後、ユーザは、テレビ受像機４がある部屋から離れ、番組の放送が開始してから３０分経過時に、評価情報を入力した。この頃に検出された音と、番組の音が不一致であった。この場合、その評価情報は評価に用いられない。その後、ユーザは部屋に戻り、番組の放送が開始してから５０分経過時に、評価情報を入力した。この頃に検出された音と、番組の音が一致した。この場合、その評価情報は評価に用いられる。
【００７５】
ユーザ端末２が評価情報とともに検出音情報がサーバ１へ送信する場合、評価情報利用決定部１１４は、その検出音情報と番組音情報との比較に基づいて、その評価情報を番組の評価に用いるか否かを判定してもよい。ユーザ端末２は所定時間間隔を置いて繰り返し検出音情報が送信する一方で、評価情報が入力されるたびにその評価情報をサーバ１へ送信する場合、評価情報利用決定部１１４は、定期的に受信される検出音情報のうち、評価情報の入力時刻以前又は以後でその入力時刻に最も近い時刻にユーザ端末２のマイク２８により検出される音を示す検出音情報と番組音情報との比較結果に少なくとも基づいて、その評価情報を番組の評価に用いるか否かを決定してもよい。すなわち、評価情報を評価に用いるか否かの決定に、評価情報の入力時刻以前又は以後でその入力時刻に最も近い時刻の検出情報が少なくとも用いられる。なお、評価情報が入力される時間幅と検出音情報が検出される時間幅とが少なくとも一部で重複する場合に、その評価情報を番組の評価に用いるか否かを決定してもよい。
【００７６】
ユーザ端末２は、評価情報の入力時刻を評価情報とともにサーバ１へ送信してもよいし、評価情報を送信する時刻を、評価情報の入力時刻としてサーバ１へ送信してもよい。或いは、サーバ１が、ユーザ端末２から評価情報を受信した時刻を、評価情報の入力時刻として用いてもよい。また、ユーザ端末２は、マイク２８により音が検出された時刻を検出音情報とともにサーバ１へ送信してもよいし、検出音情報を送信する時刻を、音が検出された時刻としてサーバ１へ送信してもよい。或いは、サーバ１が、ユーザ端末２から検出音情報を受信した時刻を、音が検出された時刻として用いてもよい。
【００７７】
評価情報利用決定部１１４は、所定時間間隔を置いて繰り返し受信される検出音情報のうち、評価情報の入力時刻から相対的に近い時刻にマイク２８により検出された音をそれぞれ示す２以上の検出音情報検出音情報と番組音情報との比較結果に基づいて、その評価情報を番組の評価に用いるか否かを決定してもよい。すなわち、評価情報を評価に用いるか否かの決定に、２以上の検出音情報が用いられる。これにより、ユーザが評価対象の番組を視聴しているか否かの判定精度を高めることができる。例えば、評価情報利用決定部１１４は、評価情報の入力時刻の前又は後、検出された時刻が入力時刻から近い順に所定数の検出音情報を用いてもよいし、検出された時刻が入力時刻から所定時間内である検出音情報を用いてもよい。或いは、評価情報利用決定部１１４は、評価情報の入力時刻の前後それぞれ、検出された時刻が入力時刻から近い順に所定数の検出音情報を用いてもよいし、検出された時刻が入力時刻から所定時間内である検出音情報を用いてもよい。評価情報利用決定部１１４は、例えば２以上の検出音情報全てについての一致度が閾値を超える場合に、評価情報を評価に用いると決定してもよいし、一致度の平均値が閾値を超え且つ一致度の標準偏差が所定値未満である場合に、評価情報を評価に用いると決定してもよい。
【００７８】
なお、本実施形態においては、番組の音のみに基づいて、評価情報を番組の評価に用いるか否かを決定するが、評価情報利用決定部１１４は、番組の映像のみに基づいて、又は映像及び音の両方に基づいて、評価情報を番組の評価に用いるか否かを決定してもよい。映像を用いる場合、ユーザは、ユーザ端末２のカメラ２９のレンズをテレビ受像機４に向ける。ユーザ端末２の検出情報取得部２１２は、例えば定期的に又は評価情報が入力されたときに、カメラ２９により映像を検出させる。検出情報取得部２１２は、例えばカメラ２９から出力される映像データから映像の特徴量を抽出して、検出映像情報を生成してもよい。例えば、ＳＩＦＴ（Scale Invariant Feature Transform）、ＳＵＲＦ（Speeded Up Robust Features）等のアルゴリズムを用いて特徴量が抽出されてもよい。評価情報・検出情報送信部２１３は、検出映像情報をサーバ１へ送信する。サーバ１の番組情報取得部１１１は、放送局からの放送信号をチューナにより受信させ又はネットワークＮＷを介して映像データを取得して、番組の映像の特徴量を抽出して、番組映像情報を生成してもよい。比較部１１３は、番組映像情報と検出映像情報とを比較し、評価情報利用決定部１１４は、この比較に基づいて、評価情報を番組の評価に用いるか否かを決定する。映像を用いる場合の詳細及び変形例は、音を用いる場合と同様であってもよい。映像及び音の両方を用いる場合、評価情報利用決定部１１４は、例えば映像が一致し且つ音が一致すると判定した場合に、評価情報を番組の評価に用いると決定してもよい。
【００７９】
評価部１１５は、評価情報・検出情報受信部１１２により受信された評価情報のうち、評価情報利用決定部１１４により、用いると決定された評価情報に基づいて、番組を評価する処理を実行する。例えば、評価情報・検出情報受信部１１２は、評価情報を集計したり分析したりする。評価部１１５は、「つまらない」、「おもしろい」等の各項目についての評価の累計や、番組放送開始から終了までの間の各時刻に入力された評価数を計算してもよい。また、評価部１１５は、全体としての評価の累計や、各時刻に入力された評価数をカウントしてもよい。評価部１１５は、評価数の推移を示す情報や、評価数が多い時刻のランキングを示す情報等を生成してもよい。また、評価部１１５は、番組の評価に参加したユーザの人数や、少なくとも一の評価情報について評価情報利用決定部１１４により番組の評価に用いられると判定されたユーザの人数（有効な評価を少なくとも１回行ったユーザの人数）をカウントしてもよい。また、評価部１１５は、有効な評価を行ったユーザの属性の分布を生成してもよい。また、評価部１１５は、コメントのリストを生成してもよい。評価部１１５は、番組の評価結果としてレポートを生成してもよい。図７は、生成されたレポートの一例を示す図である。レポートの形式は、例えばＨＴＭＬ（HyperText Markup Language）、ＰＤＦ（Portable Document Format）等であってもよい。サーバ１は、例えば放送局３における図示せぬ端末装置からの要求に応じて、生成されたレポートをネットワークＮＷを介して送信する。なお、番組を評価する処理は、例えば番組評価システムＳの管理者が利用する端末装置等が実行してもよい。また、評価部１１５は、評価を行ったユーザのIDに対して、ポイント等の特典を付与してもよい。これにより、ユーザのモチベーションアップを利用して評価情報を多く集めることができ、母集団を大きくすることで評価結果の信頼性を高めることができる。
【００８０】
［１−５．番組評価システムの動作］
【００８１】
次に、番組評価システムＳの動作について、図８及び９を用いて説明する。以下に説明する動作例において、サーバ１は、番組音情報を予め取得して記憶部１４に記憶させているものとする。ユーザ端末２は、音を定期的に検出して検出音情報をサーバ１へ送信するものとする。サーバ１は、評価情報の受信時刻以前でその受信時刻から最も近い時刻に受信された検出音情報を用いて、その評価情報を番組の評価に用いるか否かを決定するものとする。番組音情報及び検出音情報として、波形情報が用いられるものとする。
【００８２】
図８は、ユーザ端末２のシステム制御部２１により実行される端末処理の一例を示すフローチャートである。例えば、ユーザは、番組評価アプリケーションを起動して番組調査の開始操作を行う。これに応じて、システム制御部２１は、番組評価アプリケーションに従って端末処理を実行する。
【００８３】
先ず、評価情報・検出情報送信部２１３は、調査開始通知を、ユーザ端末２を利用するユーザのユーザＩＤとともにサーバ１へ送信する（ステップＳ１）。次いで、評価情報・検出情報送信部２１３は、サーバ１からタイミング情報を受信してＲＡＭ２１ｃに記憶させる（ステップＳ２）。
【００８４】
次いで、検出情報取得部２１２は、現在時刻に基づいて、音の検出タイミングが到来したか否かを判定する（ステップＳ３）。例えば、検出情報取得部２１２は、タイミング情報が示す検出音情報の送信タイミング、及び音の検出を継続させる時間等に基づいて、送信タイミングに間に合うように検出タイミングを決定する。検出情報取得部２１２は、検出タイミングが到来したと判定した場合には（ステップＳ２：ＹＥＳ）、処理をステップＳ４に進める。ステップＳ４において、検出情報取得部２１２は、マイク２８により音を検出させる。次いで、検出情報取得部２１２は、マイク２８から出力される音声信号から波形情報を検出音情報として抽出する（ステップＳ５）。
【００８５】
ステップＳ３において、検出情報取得部２１２は、検出タイミングが到来していないと判定した場合には（ステップＳ２：ＮＯ）、処理をステップＳ６に進める。ステップＳ６において、評価情報・検出情報送信部２１３は、現在時刻に基づいて、タイミング情報が示す送信タイミングが到来したか否かを判定する。評価情報・検出情報送信部２１３は、送信タイミングが到来したと判定した場合には（ステップＳ６：ＹＥＳ）、処理をステップＳ７に進める。ステップＳ７において、評価情報・検出情報送信部２１３は、ＲＡＭ２１ｃに記憶された検出音情報をユーザＩＤとともにサーバ１へ送信する。
【００８６】
ステップＳ６において、評価情報・検出情報送信部２１３は、送信タイミングが到来していないと判定した場合には（ステップＳ６：ＹＥＳ）、処理をステップＳ８に進める。ステップＳ８において、評価情報取得部２１１は、操作入力部２６からの信号に基づいて、評価情報が入力されたか否かを判定する。評価情報取得部２１１は、評価情報が入力されたと判定した場合には（ステップＳ８：ＹＥＳ）、処理をステップＳ９に進める。ステップＳ９において、評価情報取得部２１１は、入力された評価情報を、ユーザＩＤとともにサーバ１へ送信する。
【００８７】
ステップＳ５、Ｓ７若しくはＳ９を終えた場合、又はステップＳ８において評価情報が入力されなかったと判定された場合（ステップＳ８：ＮＯ）、システム制御部２１は、評価対象の番組の放送終了時刻が到来したか否かを判定する（ステップＳ１０）。システム制御部２１は、終了時刻が到来していないと判定した場合には（ステップＳ１０：ＮＯ）、処理をステップＳ３に進める。一方、システム制御部２１は、終了時刻が到来したと判定した場合には（ステップＳ１０：ＹＥＳ）、端末処理を終了させる。
【００８８】
図９は、サーバ１のシステム制御部１１により実行されるサーバ処理の一例を示すフローチャートである。システム制御部１１は、サーバプログラムに従って、例えば評価対象の番組の放送開始から所定時間前にサーバ処理を開始させる。
【００８９】
先ず、評価情報・検出情報受信部１１２は、何れかのユーザ端末２から調査開始通知を受信したか否かを判定する（ステップＳ２１）。評価情報・検出情報受信部１１２は、調査開始通知を受信したと判定した場合には（ステップＳ２１：ＹＥＳ）、処理をステップＳ２２に進める。ステップＳ２２において、評価情報・検出情報受信部１１２は、調査開始通知とともに受信されたユーザＩＤに対応付けて、ＦＡＬＳＥに設定された視聴フラグをＲＡＭ１１ｃに記憶させる。視聴フラグは、ユーザが評価対象の番組を視聴しているか否かを示す情報である。次いで、評価情報・検出情報受信部１１２は、予め定められた複数の送信タイミングの中から何れか１つの送信タイミングを、例えばランダムに決定する（ステップＳ２３）。評価情報・検出情報受信部１１２は、決定された送信タイミングを示すタイミング情報を、調査開始通知を送信してきたユーザ端末２へ送信する（ステップＳ２４）。
【００９０】
ステップＳ２１において、評価情報・検出情報受信部１１２は、調査開始通知を受信しなかったと判定した場合には（ステップＳ２１：ＮＯ）、処理をステップＳ２５に進める。ステップＳ２５において、評価情報・検出情報受信部１１２は、何れかのユーザ端末２から検出音情報を受信したか否かを判定する。評価情報・検出情報受信部１１２は、検出音情報を受信したと判定した場合には（ステップＳ２５：ＹＥＳ）、処理をステップＳ２６に進める。ステップＳ２６において、比較部１１３は、受信された検出音情報に示される波形情報と、番組情報に含まれる各波形情報との一致度を算出する。比較部１１３は、番組情報に含まれるに含まれる波形情報のうち、算出された一致度が閾値を超えるものがあるか否かを判定する。比較部１１３は、一致度が閾値を超える波形情報があると判定した場合には（ステップＳ２６：ＹＥＳ）、検出音情報とともに受信されたユーザＩＤに対応付けられた視聴フラグをＴＲＵＥに設定する（ステップＳ２７）。一方、比較部１１３は、一致度が閾値を超える波形情報がないと判定した場合には（ステップＳ２６：ＮＯ）、検出音情報とともに受信されたユーザＩＤに対応付けられた視聴フラグをＦＡＬＳＥに設定する（ステップＳ２８）。
【００９１】
ステップＳ２５において、評価情報・検出情報受信部１１２は、検出音情報を受信しなかったと判定した場合には（ステップＳ２５：ＮＯ）、処理をステップＳ２９に進める。ステップＳ２９において、評価情報・検出情報受信部１１２は、何れかのユーザ端末２から評価情報を受信したか否かを判定する。評価情報・検出情報受信部１１２は、評価情報を受信したと判定した場合には（ステップＳ２９：ＹＥＳ）、処理をステップＳ３０に進める。ステップＳ３０において、評価情報利用決定部１１４は、評価情報とともに受信されたユーザＩＤに対応付けられた視聴フラグがＴＲＵＥであるか否かを判定する。評価情報利用決定部１１４は、視聴フラグがＴＲＵＥであると判定した場合には（ステップＳ３０：ＹＥＳ）、処理をステップＳ３１に進める。ステップＳ３１において、評価情報利用決定部１１４は、受信された評価情報の入力時刻を、評価情報の受信時刻に設定する。次いで、評価情報利用決定部１１４は、評価情報、入力時刻及びユーザＩＤを関連付けて記憶部１４に記憶させる（ステップＳ３２）。一方、評価情報利用決定部１１４は、視聴フラグがＦＡＬＳＥであると判定した場合には（ステップＳ３０：ＮＯ）、受信した評価情報を破棄する（ステップＳ３３）。
【００９２】
ステップＳ２４、Ｓ２７、Ｓ２８、Ｓ３２又はＳ３３を終えたとき、又はステップＳ２９において評価情報が受信されなかったと判定されたとき（ステップＳ２９：ＮＯ）、評価部１１５は、評価対象の番組の放送終了時刻が到来したか否かを判定する（ステップＳ３４）。評価部１１５は、終了時刻が到来していないと判定した場合には（ステップＳ３４：ＮＯ）、処理をステップＳ２１に進める。一方、評価部１１５は、終了時刻が到来したと判定した場合には（ステップＳ３４：ＹＥＳ）、評価情報を用いて番組の評価処理を実行する（ステップＳ３５）。評価部１１５は、記憶部１４に記憶された評価情報を集計、分析する。例えば、評価部１１５は、入力時刻を用いて、評価項目ごと評価数の推移等を算出したり、評価数の多い時刻のランキングを決定したりしてもよい。評価部１１５は、評価結果を示すレポートを生成して記憶部１４に記憶させる。評価処理を終えると、評価部１１５は、サーバ処理を終了させる。
【００９３】
以上説明したように、本実施形態によれば、ユーザ端末２が、番組を構成する映像及び音を出力するテレビ受像機４により出力された音を検出する。また、ユーザ端末２が、ユーザにより入力された評価情報と、検出された音を示す検出音情報と、をサーバ１へ送信する。サーバ１が、番組を構成する音を示す番組音情報を取得する。また、サーバ１が、ユーザ端末２から評価情報及び検出音情報を受信する。また、サーバ１が、取得された番組音情報と受信された検出音情報とを比較する。また、サーバ１が、この比較結果により、番組音情報と受信された検出音情報との間に所定の一致がある場合、受信された評価情報を番組の評価に用いるよう選択する。そのため、評価対象の番組を実際にユーザが視聴しているか否かを推定することが可能となる。従って、ユーザが番組を視聴していると推定される評価情報のみを、番組の評価に用いることができる。そのため、評価情報の信頼性を確保することが可能となる。
【００９４】
また、コンテンツは、放送番組のコンテンツであってもよい。また、サーバ１が、番組の放送中における複数のユーザ端末２のうち少なくとも一のユーザ端末２による評価情報及び検出音情報の少なくとも何れか一方の送信タイミングが、複数のユーザ端末２のうち他の少なくとも一のユーザ端末２による送信タイミングと相違するように、複数のユーザ端末２それぞれについて、送信タイミングを決定してもよい。また、サーバ１が、決定された送信タイミングを示すタイミング情報を、複数のユーザ端末２それぞれに送信してもよい。各ユーザ端末２が、サーバ１からタイミング情報を受信してもよい。また、各ユーザ端末２が、受信されたタイミング情報に示される送信タイミングに従って、評価情報及び検出音情報の少なくとも何れか一方を送信してもよい。この場合、番組の放送中に複数のユーザ端末２それぞれからサーバ１へ検出音情報が送信される態様であっても、評価情報及び検出音情報の少なくとも何れか一方の送信タイミングが複数に分散される。従って、サーバ１の処理負荷が同時点に集中することを抑制し負荷分散させることができる。
【００９５】
また、サーバ１が、複数のユーザ端末２における少なくとも一のユーザ端末２による送信タイミングの間隔の間に、他の少なくとも一のユーザ端末２による送信タイミングを決定してもよい。この場合、単位時間当たりにサーバ１が受信する検出情報の数が均一化されるので、サーバ装置の処理負荷を更に分散させることができる。
【００９６】
また、ユーザ端末２が、所定時間間隔を置いて繰り返し、音を検出して検出音情報を送信してもよい。サーバ１は、所定時間間隔を置いて繰り返し受信される検出音情報のうち、評価情報の入力時刻以前又は以後で入力時刻に最も近い時刻にユーザ端末２により検出される音を示す検出音情報と番組音情報との比較結果に少なくとも基づいて、評価情報を番組の評価に用いるか否かを決定してもよい。この場合、ユーザ端末２が音の検出及び検出音情報の送信を定期的に実行する態様においても、評価情報を入力した時点においてユーザが番組を視聴しているか否かの推定精度を高めることができる。
【００９７】
また、サーバ１が、定期的に受信される検出音情報のうち、評価情報の入力時刻から相対的に近い時刻に検出された音をそれぞれ示す２以上の検出音情報と番組音情報との比較結果に基づいて、評価情報を番組の評価に用いるか否かを決定してもよい。この場合、評価情報を入力した時点においてユーザが番組を視聴しているか否かの推定精度を更に高めることができる。
【００９８】
また、ユーザ端末２が、評価情報が入力されたときに音を検出してもよい。サーバ１は、番組音情報が、検出音情報と一致すると判定される部分を有する場合、検出音情報とともに受信された評価情報を、番組の評価に用いると決定してもよい。この場合、評価情報を入力した時点においてユーザが番組を視聴しているか否かの推定精度を高めることができる。
【００９９】
［２．第２実施形態］
【０１００】
［２−１．機能概要］
【０１０１】
次に、図１０を用いて、第２実施形態におけるサーバ１のシステム制御部１１、及びユーザ端末２のシステム制御部２１の機能概要を説明する。本実施形態において、ユーザ端末２は、評価情報が入力されたタイミングで音を検出して検出音情報を取得する。評価情報及び検出音情報の送信タイミングは、検出音情報が検出された時点であってもよいし、定期的であってもよい。
【０１０２】
サーバ１は、検出音情報に基づいて、ユーザ端末２に評価情報が入力された時刻を特定する。評価情報利用決定部１１４は、番組音情報が、検出音情報と一致すると判定される部分を有する場合、ユーザ端末２からその検出音情報とともに受信された評価情報を番組の評価に用いると決定する。このとき、評価情報利用決定部１１４は、評価対象の番組において検出情報と一致すると判定された部分により示される音のテレビ受像機４による出力時刻（放送時刻）を、その検出音情報とともに受信された評価情報の入力時刻として特定してもよい。この時刻は、絶対的な時刻であってもよいし、放送開始時刻からの相対的な時刻であってもよい。これにより、正確度の高い入力時刻を用いて、番組の評価を行うことが可能である。この入力時刻特定方法は、配信時間帯が予め定められていないオンデマンド配信にも有効である。
【０１０３】
サーバ１における一致判定には、例えば音の特徴量が用いられてもよいが、この特徴量を特定することが可能な特徴量特定情報が用いられてもよい。この特徴量特定情報は、特徴量よりも情報量が少ない情報である。この特徴量特定情報は、少なくとも一の番組において、基本的に特徴量ごとに異なるものである。評価の対象となる番組が複数存在する場合、番組間においても特徴量特定情報が異なることが好ましい。特徴量特定情報は、例えば特徴量の要約を示すハッシュ値であってもよいし、所定の基準に基づいて特徴量に付与される識別情報であってもよい。或いは、特徴量特定情報は、特徴量に対応する音の放送時刻を含んでもよい。なお、特徴量及び特徴量特定情報の代わりに、波形情報及びこの波形情報を特定することが可能な情報であって且つ波形情報よりも情報量が少ない情報が用いられてもよい。
【０１０４】
以降においては、特徴量特定情報として特徴量のハッシュ値を用いた場合について説明する。図１０は、番組評価システムＳにおける処理概要の一例を示す図である。番組情報取得部１１１は、評価対象の番組の放送が開始される以前に、ネットワークＮＷを介して取得された番組の音声データから、番組の音の特徴量の時系列で構成される特徴量時系列データを生成する。言い換えれば、番組の音声データを複数に区分し時系列に並べたものを各々特徴量に変換した状態で記憶部２４に記憶しておく。また、番組情報取得部１１１は、生成された特徴量時系列データを特定情報時系列データに変換する。例えば、番組情報取得部１１１は、特徴量時系列データの各特徴量のハッシュ値を、所定のハッシュ関数により生成する。そして、番組情報取得部１１１は、ハッシュ値の時系列で構成される特定情報時系列データを番組音情報として生成して記憶部１４に記憶させる。この番組音情報において各ハッシュ値は、評価対象の番組においてこのハッシュ値に対応する音が放送される時刻と関連付けられてもよい。
【０１０５】
ユーザ端末２は、事前に、特徴量時系列データを、番組音特徴量情報として取得する。例えば、ユーザは、評価対象の番組の放送が開始されるよりも前にユーザ端末２を操作して、番組調査に予めエントリーする。サーバ１は、ユーザ端末２からのエントリーの通知を受信すると、番組音特徴量情報を送信する。ユーザ端末２は、番組音特徴量情報を記憶部２４に記憶させる。
【０１０６】
評価対象の番組の放送中に、ユーザは、評価情報をユーザ端末２に入力する。このとき、検出情報取得部２１２は、マイク２８により音を検出させて、マイク２８から音声信号を受信する。検出情報取得部２１２は、音声信号から特徴量を抽出して、この特徴量と番組音特徴量情報における各特徴量とを比較して、一致度を算出する。検出情報取得部２１２は、番組音特徴量情報の中に、一致度が所定の閾値を超える特徴量が存在する場合、その特徴量のハッシュ値を、サーバ１で用いられるハッシュ関数と同一のハッシュ関数（例えば番組評価アプリケーションに含まれている。）により生成する。検出情報取得部２１２は、このハッシュ値を、検出音情報として取得する。評価情報・検出情報送信部２１３は、検出音情報としてのハッシュ値を、評価情報とともにサーバ１へ送信する。
【０１０７】
サーバ１の比較部１１３は、ユーザ端末２から受信された検出音情報と、番組音情報としてのハッシュ値の時系列の各ハッシュ値とを比較する。比較の結果、評価情報・検出情報送信部２１３は、ハッシュ値の時系列中に検出音情報と一致するハッシュ値が存在する場合、評価情報を番組の評価に用いると決定する。評価情報・検出情報送信部２１３は、評価対象の番組において、検出音情報と一致するハッシュ値に対応する音が放送される時刻を、評価情報の入力時刻として特定する。ハッシュ値等の特徴量特定情報を用いることにより、評価に用いられる入力時刻の正確度が高まるとともに、番組の放送中におけるサーバ１とユーザ端末２との間の通信量を削減することができる。この通信量の削減は、検出音情報が特徴量から特徴量特定情報に置き換えられることによる検出音情報の情報量の削減により実現される。また、マイク２８により検出された音と番組の音とが一致しなかった場合、ユーザ端末２は検出音情報及び評価情報の何れもサーバ１へ送信しなくてもよいので、通信回数が削減される。
【０１０８】
例えば、図１０において、ユーザ端末２は、番組音特徴量情報中の特徴量１０２が検出音情報と一致すると判定した。そこで、ユーザ端末２は、特徴量１０２のハッシュ値をサーバ１へ送信する。サーバ１側では、番組音情報中において元々特徴量１０２から生成されたハッシュ値１０２と、ユーザ端末２から受信されたハッシュ値とが一致する。従って、ハッシュ値１０２に対応付けられた時刻Ｔ１０２が、評価情報の入力時刻となる。
【０１０９】
［２−２．番組評価システムの動作］
【０１１０】
次に、番組評価システムＳの動作について、図１１及び１２を用いて説明する。以下に説明する動作例において、ユーザ端末２は、評価情報が入力されたタイミングで、検出音情報を評価情報とともにサーバ１へ送信するものとする。また、ユーザ端末２は、番組音特徴量情報を予め取得して記憶部２４に記憶しているものとする。
【０１１１】
図１１は、ユーザ端末２のシステム制御部２１により実行される端末処理の一例を示すフローチャートである。図１１において、図８と同様の処理については同様の符号が付されている。
【０１１２】
先ず、評価情報取得部２１１は、評価情報が入力されたか否かを判定する（ステップＳ８）。評価情報取得部２１１は、評価情報が入力されたと判定した場合には（ステップＳ８：ＹＥＳ）、処理をステップ４に進める。ステップＳ４において、検出情報取得部２１２は、マイク２８により音を検出させる。次いで、検出情報取得部２１２は、マイク２８から出力される音声信号から特徴量を抽出する（ステップＳ４１）。次いで、検出情報取得部２１２は、生成された特徴量と、番組音特徴量情報中における各特徴量とを比較する。評価情報取得部２１１は、生成された特徴量との間の一致度が閾値を超える特徴量が番組音特徴量情報中に存在するか否かを判定する（ステップＳ４２）。検出情報取得部２１２は、一致度が閾値を超える特徴量が存在すると判定した場合には（ステップＳ４２：ＹＥＳ）、処理をステップＳ４３に進める。ステップＳ４３において、検出情報取得部２１２は、番組音特徴量情報中において、生成された特徴量の一致度が閾値を超える特徴量のうち、一致度が最大である特徴量のハッシュ値を生成する。次いで、評価情報・検出情報送信部２１３は、評価情報と生成されたハッシュ値とをユーザＩＤとともにサーバ１へ送信する（ステップＳ４４）。
【０１１３】
ステップＳ４４を終えたとき、ステップＳ８において評価情報が入力されていないと判定されたとき（ステップＳ８：ＮＯ）、又はステップＳ４２において一致度が閾値を超える特徴量が存在しないと判定されたとき（ステップＳ４２：ＮＯ）、システム制御部２１は、評価対象の番組の放送終了時刻が到来したか否かを判定する（ステップＳ１０）。システム制御部２１は、終了時刻が到来していないと判定した場合には（ステップＳ１０：ＮＯ）、処理をステップＳ８に進める。一方、システム制御部２１は、終了時刻が到来したと判定した場合には（ステップＳ１０：ＹＥＳ）、端末処理を終了させる。
【０１１４】
図１２は、サーバ１のシステム制御部１１により実行されるサーバ処理の一例を示すフローチャートである。図１２において、図９と同様の処理については同様の符号が付されている。
【０１１５】
先ず、評価情報・検出情報受信部１１２は、何れかのユーザ端末２から評価情報及びハッシュ値を受信したか否かを判定する（ステップＳ５１）。評価情報・検出情報受信部１１２は、評価情報及びハッシュ値を受信したと判定した場合には（ステップＳ５１：ＹＥＳ）、処理をステップＳ５２に進める。ステップＳ５２において、比較部５２は、受信されたハッシュ値と一致するハッシュ値が番組音情報中に存在するか否かを判定する。評価情報・検出情報受信部１１２は、受信されたハッシュ値と一致するハッシュ値が存在すると判定した場合には（ステップＳ５２：ＹＥＳ）、処理をステップＳ５３に進める。ステップＳ５３において、評価情報利用決定部１１４は、受信された評価情報の入力時刻を、受信されたハッシュ値と一致するハッシュ値に対応付けられた放送時刻に設定する。次いで、評価情報利用決定部１１４は、評価情報、入力時刻及びユーザＩＤを関連付けて記憶部１４に記憶させる（ステップＳ３２）。一方、評価情報利用決定部１１４は、受信されたハッシュ値と一致するハッシュ値が存在しないと判定した場合には（ステップＳ５２：ＮＯ）、受信した評価情報を破棄する（ステップＳ３３）。
【０１１６】
ステップＳ３２若しくはＳ３２を終えたとき、又はステップＳ５１におい評価情報及びハッシュ値が受信されなかったと判定されたとき（ステップＳ５１：ＮＯ）、評価部１１５は、評価対象の番組の放送終了時刻が到来したか否かを判定する（ステップＳ３４）。評価部１１５は、終了時刻が到来していないと判定した場合には（ステップＳ３４：ＮＯ）、処理をステップＳ５１に進める。一方、評価部１１５は、終了時刻が到来したと判定した場合には（ステップＳ３４：ＹＥＳ）、評価情報を用いて番組の評価処理を実行して（ステップＳ３５）、サーバ処理を終了させる。
【０１１７】
以上説明したように、本実施形態によれば、サーバ１が、番組音情報のうち、検出音情報と一致すると判定された部分により示される音のテレビ受像機４による出力時刻を、検出音情報とともに受信された評価情報の入力時刻として特定する。従って、番組の何れの場面に対して入力された評価情報であるかを適切に特定することが可能であるので、番組に対して適切な評価を行うことができる。
【０１１８】
また、サーバ１が、番組のコンテンツを構成する音の特徴量の時系列における特徴量それぞれを特定する特徴量特定情報の時系列を、番組音情報として取得してもよい。ユーザ端末２は、音の特徴量の時系列を示す番組音特徴量情報を事前に取得してもよい。また、ユーザ端末２が、番組音特徴量情報の中に、検出された音の特徴量との間の一致度が閾値を超える特徴量が存在する場合、その特徴量を特定する特徴量特定情報を、検出音情報として送信してもよい。サーバ１は、番組音情報のうち、ユーザ端末２から受信された特徴量特定情報と一致する特徴量特定情報に対応する音のテレビ受像機４による出力時刻を、評価情報の入力時刻として特定してもよい。この場合、検出音情報の情報量が削減されるので、ユーザ端末２及びサーバ１の通信負荷を削減することができる。
【符号の説明】
【０１１９】
１  サーバ
２  ユーザ端末
１１  システム制御部
１２  システムバス
１３  入出力インターフェース
１４  記憶部
１５  通信部
１１１  番組情報取得部
１１２  評価情報・検出情報受信部
１１３  比較部
１１４  評価情報利用決定部
１１５  評価部
２１  システム制御部
２２  システムバス
２３  入出力インターフェース
２４  記憶部
２５  通信部
２６  操作入力部
２７  表示部
２８  マイク
２９  カメラ
２１１  評価情報取得部
２１２  検出情報取得部
２１３  情評価情報・検出情報送信部
ＮＷ  ネットワーク
【図１】
2020059047.tif 000003
【図２Ａ】
2020059047.tif 000004
【図２Ｂ】
2020059047.tif 000005
【図３Ａ】
2020059047.tif 000006
【図３Ｂ】
2020059047.tif 000007
【図４Ａ】
2020059047.tif 000008
【図４Ｂ】
2020059047.tif 000009
【図５】
2020059047.tif 000010
【図６】
2020059047.tif 000011
【図７】
2020059047.tif 000012
【図８】
2020059047.tif 000013
【図９】
2020059047.tif 000014
【図１０】
2020059047.tif 000015
【図１１】
2020059047.tif 000016
【図１２】
2020059047.tif 000017
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
端末装置と、前記端末装置とネットワークを介して接続されるサーバ装置と、を含む評価システムにおいて、
前記端末装置は、
映像及び音の少なくとも何れか一方で構成されるコンテンツに対する評価情報がユーザにより入力される入力手段と、
前記コンテンツを構成する、前記映像及び前記音の少なくとも何れか一方を出力する出力装置により出力された映像又は音を検出する検出手段と、
前記入力された評価情報と、前記検出された映像又は音を示す検出情報と、を前記サーバ装置へ送信する送信手段と、
を備え、
前記サーバ装置は、
前記コンテンツを構成する、前記映像又は前記音を示すコンテンツ情報を取得する取得手段と、
前記端末装置から前記評価情報及び前記検出情報を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
を備え、
前記検出手段及び前記送信手段は、所定時間間隔を置いて繰り返し前記映像又は前記音を検出して前記検出情報を送信し、
前記選択手段は、前記受信手段により前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする評価システム。
【請求項２】
前記選択手段は、前記受信手段により所定時間間隔を置いて繰り返し受信される前記検出情報のうち、前記評価情報の入力時刻から相対的に近い時刻に検出された映像又は音をそれぞれ示す２以上の検出情報と前記コンテンツ情報との比較結果に基づいて、前記選択を行うことを特徴とする請求項１に記載の評価システム。
【請求項３】
端末装置と、前記端末装置とネットワークを介して接続されるサーバ装置と、を含む評価システムにおいて、
前記端末装置は、
映像及び音の少なくとも何れか一方で構成されるコンテンツに対する評価情報がユーザにより入力される入力手段と、
前記コンテンツを構成する、前記映像及び前記音の少なくとも何れか一方を出力する出力装置により出力された映像又は音を検出する検出手段と、
前記入力された評価情報と、前記検出された映像又は音を示す検出情報と、を前記サーバ装置へ送信する送信手段と、
を備え、
前記サーバ装置は、
前記コンテンツを構成する、前記映像又は前記音を示すコンテンツ情報を取得する取得手段と、
前記端末装置から前記評価情報及び前記検出情報を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
を備え、
前記検出手段及び前記送信手段は、前記評価情報が入力されたときに前記映像又は前記音を検出して、該評価情報と同時に、該検出された映像又は音を示す前記検出情報を前記サーバ装置へ送信し、
前記選択手段は、前記コンテンツ情報が、前記検出情報と一致すると判定される部分を有する場合、前記検出情報と同時に受信された前記評価情報を、前記コンテンツの評価に用いるよう選択することを特徴とする評価システム。
【請求項４】
端末装置と、前記端末装置とネットワークを介して接続されるサーバ装置と、を含む評価システムにおいて、
前記端末装置は、
映像及び音の少なくとも何れか一方で構成されるコンテンツに対する評価情報がユーザにより入力される入力手段と、
前記コンテンツを構成する、前記映像及び前記音の少なくとも何れか一方を出力する出力装置により出力された映像又は音を検出する検出手段と、
前記入力された評価情報と、前記検出された映像又は音を示す検出情報と、を前記サーバ装置へ送信する送信手段と、
を備え、
前記サーバ装置は、
前記コンテンツを構成する、前記映像又は前記音を示すコンテンツ情報を取得する取得手段と、
前記端末装置から前記評価情報及び前記検出情報を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
を備え、
前記検出手段及び前記送信手段は、前記評価情報が入力されたときに前記映像又は前記音を検出して、前記評価情報とともに前記検出情報を前記サーバ装置へ送信し、
前記選択手段は、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする評価システム。
【請求項５】
前記取得手段は、前記コンテンツを構成する前記映像又は前記音の特徴を示す特徴情報の時系列で構成される特徴情報時系列データから変換された特定情報の時系列で構成される特定情報時系列データであって、各前記特定情報に基づいて対応する前記特徴情報が特定可能であり、且つ各前記特定情報の情報量は、対応する前記特徴情報の情報量よりも少ない特定情報時系列データを、前記コンテンツ情報として取得し、
前記端末装置は、
前記特徴情報時系列データを事前に取得する特徴情報時系列データ取得手段と、
前記検出された映像又は音の特徴を示す特徴情報を抽出する抽出手段と、
前記取得された特徴情報時系列データに含まれる前記特徴情報のうち、前記抽出された特徴情報との間の一致度が所定値を超える特徴情報を特定する特定情報であって、該特徴情報の情報量よりも少ない情報量の特定情報を生成する生成手段と、
を更に備え、
前記送信手段は、前記生成された特定情報を、前記検出情報として送信し、
前記選択手段は、前記特徴情報時系列データに含まれる前記特定情報のうち、前記検出情報として受信された前記特定情報と一致する特定情報に対応する前記出力時刻を、前記入力時刻として特定することを特徴とする請求項４に記載の評価システム。
【請求項６】
前記特定情報は、前記特徴情報のハッシュ値であることを特徴とする請求項５に記載の評価システム。
【請求項７】
前記コンテンツは、放送されるコンテンツであり、
前記コンテンツの放送中に、前記端末装置として複数の端末装置それぞれから前記サーバ装置へ前記評価情報及び前記検出情報が送信され、
前記サーバ装置は、
前記複数の端末装置のうち少なくとも一の端末装置による前記評価情報及び前記検出情報の少なくとも何れか一方の送信タイミングが、前記複数の端末装置のうち他の少なくとも一の端末装置による送信タイミングと相違するように、前記複数の端末装置それぞれについて、前記送信タイミングを決定するタイミング決定手段と、
前記決定された送信タイミングを示すタイミング情報を、前記複数の端末装置それぞれに送信するタイミング情報送信手段と、
を更に備え、
前記端末装置は、
前記サーバ装置から前記タイミング情報を受信するタイミング情報受信手段を更に備え、
前記送信手段は、前記受信されたタイミング情報に従って、前記評価情報及び前記検出情報の少なくとも何れか一方を送信することを特徴とする請求項１乃至６のいずれか一項に記載の評価システム。
【請求項８】
前記タイミング情報送信手段は、前記少なくとも一の端末装置による送信タイミングの間隔の間に、前記他の少なくとも一の端末装置による送信タイミングを決定することを特徴とする請求項７に記載の評価システム。
【請求項９】
サーバ装置において、
映像及び音の少なくとも何れか一方で構成されるコンテンツを構成する、前記映像又は前記音を示すコンテンツ情報を取得する取得手段と、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
を備え、
前記端末装置は、所定時間間隔を置いて繰り返し前記映像又は前記音を検出して前記検出情報を前記サーバ装置へ送信し、
前記選択手段は、前記受信手段により前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とするサーバ装置。
【請求項１０】
サーバ装置において、
映像及び音の少なくとも何れか一方で構成されるコンテンツを構成する、前記映像又は前記音を示すコンテンツ情報を取得する取得手段と、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
を備え、
前記端末装置は、前記評価情報が入力されたときに前記映像又は前記音を検出して、該評価情報と同時に、該検出された映像又は音を示す前記検出情報を前記サーバ装置へ送信し、
前記選択手段は、前記コンテンツ情報が、前記検出情報と一致すると判定される部分を有する場合、前記検出情報と同時に受信された前記評価情報を、前記コンテンツの評価に用いるよう選択することを特徴とするサーバ装置。
【請求項１１】
サーバ装置において、
映像及び音の少なくとも何れか一方で構成されるコンテンツを構成する、前記映像又は前記音を示すコンテンツ情報を取得する取得手段と、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
を備え、
前記端末装置は、前記評価情報が入力されたときに前記映像又は前記音を検出して、前記評価情報とともに前記検出情報を前記サーバ装置へ送信し、
前記選択手段は、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とするサーバ装置。
【請求項１２】
端末装置において、
映像及び音の少なくとも何れか一方で構成されるコンテンツに対する評価情報がユーザにより入力される入力手段と、
前記コンテンツを構成する、前記映像及び前記音の少なくとも何れか一方を出力する出力装置により出力された映像又は音を検出する検出手段と、
前記入力された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、
を備え、
前記検出手段及び前記送信手段は、所定時間間隔を置いて繰り返し前記映像又は前記音を検出して前記検出情報を送信し、
前記サーバ装置は、前記端末装置から前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする端末装置。
【請求項１３】
端末装置において、
映像及び音の少なくとも何れか一方で構成されるコンテンツに対する評価情報がユーザにより入力される入力手段と、
前記コンテンツを構成する、前記映像及び前記音の少なくとも何れか一方を出力する出力装置により出力された映像又は音を検出する検出手段と、
前記入力された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、
を備え、
前記検出手段及び前記送信手段は、前記評価情報が入力されたときに前記映像又は前記音を検出して、該評価情報と同時に、該検出された映像又は音を示す前記検出情報を前記サーバ装置へ送信し、
前記サーバ装置は、前記コンテンツ情報が、前記検出情報と一致すると判定される部分を有する場合、前記端末装置から前記検出情報と同時に受信された前記評価情報を、前記コンテンツの評価に用いるよう選択することを特徴とする端末装置。
【請求項１４】
端末装置において、
映像及び音の少なくとも何れか一方で構成されるコンテンツに対する評価情報がユーザにより入力される入力手段と、
前記コンテンツを構成する、前記映像及び前記音の少なくとも何れか一方を出力する出力装置により出力された映像又は音を検出する検出手段と、
前記入力された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、
を備え、
前記検出手段及び前記送信手段は、前記評価情報が入力されたときに前記映像又は前記音を検出して、前記評価情報とともに前記検出情報を前記サーバ装置へ送信し、
前記サーバ装置は、前記コンテンツ情報が、前記検出情報と一致すると判定される部分を有する場合、前記端末装置から前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする端末装置。
【請求項１５】
端末装置と、前記端末装置とネットワークを介して接続されるサーバ装置と、を含む評価システムにおける情報処理方法において、
前記サーバ装置が、映像及び音の少なくとも何れか一方で構成されるコンテンツを構成する、前記映像又は前記音を示すコンテンツ情報を取得する取得ステップと、
前記端末装置が、前記端末装置が備える入力手段にユーザにより入力された、前記コンテンツに対する評価情報を取得する評価情報取得ステップと、
前記端末装置が、前記コンテンツを構成する、前記映像及び前記音の少なくとも何れか一方を出力する出力装置により出力された映像又は音を検出する検出ステップと、
前記端末装置が、前記取得された評価情報と、前記検出された映像又は音を示す検出情報と、を前記サーバ装置へ送信する送信ステップと、
前記サーバ装置が、前記端末装置から前記評価情報及び前記検出情報を受信する受信ステップと、
前記サーバ装置が、前記取得されたコンテンツ情報と前記受信された検出情報とを比較する比較ステップと、
前記サーバ装置が、前記比較ステップによる比較結果により、前記コンテンツ情報と前記検出情報との間に所定の一致があることが示される場合、前記受信された評価情報を前記コンテンツの評価に用いるよう選択する選択ステップと、
を含み、
前記検出ステップ及び前記送信ステップは、所定時間間隔を置いて繰り返し前記映像又は前記音を検出して前記検出情報を送信し、
前記選択ステップは、前記受信ステップにより前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする情報処理方法。
【請求項１６】
端末装置と、前記端末装置とネットワークを介して接続されるサーバ装置と、を含む評価システムにおける情報処理方法において、
前記サーバ装置が、映像及び音の少なくとも何れか一方で構成されるコンテンツを構成する、前記映像又は前記音を示すコンテンツ情報を取得する取得ステップと、
前記端末装置が、前記端末装置が備える入力手段にユーザにより入力された、前記コンテンツに対する評価情報を取得する評価情報取得ステップと、
前記端末装置が、前記コンテンツを構成する、前記映像及び前記音の少なくとも何れか一方を出力する出力装置により出力された映像又は音を検出する検出ステップと、
前記端末装置が、前記取得された評価情報と、前記検出された映像又は音を示す検出情報と、を前記サーバ装置へ送信する送信ステップと、
前記サーバ装置が、前記端末装置から前記評価情報及び前記検出情報を受信する受信ステップと、
前記サーバ装置が、前記取得されたコンテンツ情報と前記受信された検出情報とを比較する比較ステップと、
前記サーバ装置が、前記比較ステップによる比較結果により、前記コンテンツ情報と前記検出情報との間に所定の一致があることが示される場合、前記受信された評価情報を前記コンテンツの評価に用いるよう選択する選択ステップと、
を含み、
前記検出ステップ及び前記送信ステップは、前記評価情報が入力されたときに前記映像又は前記音を検出して、該評価情報と同時に、該検出された映像又は音を示す前記検出情報を前記サーバ装置へ送信し、
前記選択ステップは、前記コンテンツ情報が、前記検出情報と一致すると判定される部分を有する場合、前記検出情報と同時に受信された前記評価情報を、前記コンテンツの評価に用いるよう選択することを特徴とする情報処理方法。
【請求項１７】
端末装置と、前記端末装置とネットワークを介して接続されるサーバ装置と、を含む評価システムにおける情報処理方法において、
前記サーバ装置が、映像及び音の少なくとも何れか一方で構成されるコンテンツを構成する、前記映像又は前記音を示すコンテンツ情報を取得する取得ステップと、
前記端末装置が、前記端末装置が備える入力手段にユーザにより入力された、前記コンテンツに対する評価情報を取得する評価情報取得ステップと、
前記端末装置が、前記コンテンツを構成する、前記映像及び前記音の少なくとも何れか一方を出力する出力装置により出力された映像又は音を検出する検出ステップと、
前記端末装置が、前記取得された評価情報と、前記検出された映像又は音を示す検出情報と、を前記サーバ装置へ送信する送信ステップと、
前記サーバ装置が、前記端末装置から前記評価情報及び前記検出情報を受信する受信ステップと、
前記サーバ装置が、前記取得されたコンテンツ情報と前記受信された検出情報とを比較する比較ステップと、
前記サーバ装置が、前記比較ステップによる比較結果により、前記コンテンツ情報と前記検出情報との間に所定の一致があることが示される場合、前記受信された評価情報を前記コンテンツの評価に用いるよう選択する選択ステップと、
を含み、
前記検出ステップ及び前記送信ステップは、前記評価情報が入力されたときに前記映像又は前記音を検出して、前記評価情報とともに前記検出情報を前記サーバ装置へ送信し、
前記選択ステップは、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする情報処理方法。
【請求項１８】
サーバ装置のコンピュータにより実行される情報処理方法において、
映像及び音の少なくとも何れか一方で構成されるコンテンツを構成する、前記映像又は前記音を示すコンテンツ情報を取得する取得ステップと、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信ステップと、
前記取得されたコンテンツ情報と前記受信された検出情報とを比較する比較ステップと、
前記比較ステップによる比較結果により、前記コンテンツ情報と前記検出情報との間に所定の一致がある場合、前記受信された評価情報を前記コンテンツの評価に用いるよう選択する選択ステップと、
を含み、
前記端末装置は、所定時間間隔を置いて繰り返し前記映像又は前記音を検出して前記検出情報を送信し、
前記選択ステップは、前記受信ステップにより前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする情報処理方法。
【請求項１９】
サーバ装置のコンピュータにより実行される情報処理方法において、
映像及び音の少なくとも何れか一方で構成されるコンテンツを構成する、前記映像又は前記音を示すコンテンツ情報を取得する取得ステップと、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信ステップと、
前記取得されたコンテンツ情報と前記受信された検出情報とを比較する比較ステップと、
前記比較ステップによる比較結果により、前記コンテンツ情報と前記検出情報との間に所定の一致がある場合、前記受信された評価情報を前記コンテンツの評価に用いるよう選択する選択ステップと、
を含み、
前記端末装置は、前記評価情報が入力されたときに前記映像又は前記音を検出して、該評価情報と同時に、該検出された映像又は音を示す前記検出情報を前記サーバ装置へ送信し、
前記選択ステップは、前記コンテンツ情報が、前記検出情報と一致すると判定される部分を有する場合、前記検出情報と同時に受信された前記評価情報を、前記コンテンツの評価に用いるよう選択することを特徴とする情報処理方法。
【請求項２０】
サーバ装置のコンピュータにより実行される情報処理方法において、
映像及び音の少なくとも何れか一方で構成されるコンテンツを構成する、前記映像又は前記音を示すコンテンツ情報を取得する取得ステップと、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信ステップと、
前記取得されたコンテンツ情報と前記受信された検出情報とを比較する比較ステップと、
前記比較ステップによる比較結果により、前記コンテンツ情報と前記検出情報との間に所定の一致がある場合、前記受信された評価情報を前記コンテンツの評価に用いるよう選択する選択ステップと、
を含み、
前記端末装置は、前記評価情報が入力されたときに前記映像又は前記音を検出して、前記評価情報とともに前記検出情報を前記サーバ装置へ送信し、
前記選択ステップは、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする情報処理方法。
【請求項２１】
端末装置のコンピュータにより実行される情報処理方法において、
前記端末装置が備える入力手段にユーザにより入力された、映像及び音の少なくとも何れか一方で構成されるコンテンツに対する評価情報を取得する評価情報取得ステップと、
前記コンテンツを構成する、前記映像及び前記音の少なくとも何れか一方を出力する出力装置により出力された映像又は音を検出する検出ステップと、
前記取得された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致があることが示される場合、前記評価情報を前記コンテンツの評価に用いるよう選択するサーバ装置へ送信する送信ステップと、
を含み、
前記検出ステップ及び前記送信ステップは、所定時間間隔を置いて繰り返し前記映像又は前記音を検出して前記検出情報を送信し、
前記サーバ装置は、前記端末装置から前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする情報処理方法。
【請求項２２】
端末装置のコンピュータにより実行される情報処理方法において、
前記端末装置が備える入力手段にユーザにより入力された、映像及び音の少なくとも何れか一方で構成されるコンテンツに対する評価情報を取得する評価情報取得ステップと、
前記コンテンツを構成する、前記映像及び前記音の少なくとも何れか一方を出力する出力装置により出力された映像又は音を検出する検出ステップと、
前記取得された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致があることが示される場合、前記評価情報を前記コンテンツの評価に用いるよう選択するサーバ装置へ送信する送信ステップと、
を含み、
前記検出ステップ及び前記送信ステップは、前記評価情報が入力されたときに前記映像又は前記音を検出して、該評価情報と同時に、該検出された映像又は音を示す前記検出情報を前記サーバ装置へ送信し、
前記サーバ装置は、前記コンテンツ情報が、前記検出情報と一致すると判定される部分を有する場合、前記端末装置から前記検出情報と同時に受信された前記評価情報を、前記コンテンツの評価に用いるよう選択することを特徴とする情報処理方法。
【請求項２３】
端末装置のコンピュータにより実行される情報処理方法において、
前記端末装置が備える入力手段にユーザにより入力された、映像及び音の少なくとも何れか一方で構成されるコンテンツに対する評価情報を取得する評価情報取得ステップと、
前記コンテンツを構成する、前記映像及び前記音の少なくとも何れか一方を出力する出力装置により出力された映像又は音を検出する検出ステップと、
前記取得された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致があることが示される場合、前記評価情報を前記コンテンツの評価に用いるよう選択するサーバ装置へ送信する送信ステップと、
を含み、
前記検出ステップ及び前記送信ステップは、前記評価情報が入力されたときに前記映像又は前記音を検出して、前記評価情報とともに前記検出情報を前記サーバ装置へ送信し、
前記サーバ装置は、前記コンテンツ情報が、前記検出情報と一致すると判定される部分を有する場合、前記端末装置から前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする情報処理方法。
【請求項２４】
サーバ装置のコンピュータにより実行される情報処理プログラムにおいて、
前記コンピュータを、
映像及び音の少なくとも何れか一方で構成されるコンテンツを構成する、前記映像又は前記音を示すコンテンツ情報を取得する取得手段と、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
として機能させ、
前記端末装置は、所定時間間隔を置いて繰り返し前記映像又は前記音を検出して前記検出情報を前記サーバ装置へ送信し、
前記選択手段は、前記受信手段により前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする情報処理プログラム。
【請求項２５】
サーバ装置のコンピュータにより実行される情報処理プログラムにおいて、
前記コンピュータを、
映像及び音の少なくとも何れか一方で構成されるコンテンツを構成する、前記映像又は前記音を示すコンテンツ情報を取得する取得手段と、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
として機能させ、
前記端末装置は、前記評価情報が入力されたときに前記映像又は前記音を検出して、該評価情報と同時に、該検出された映像又は音を示す前記検出情報を前記サーバ装置へ送信し、
前記選択手段は、前記コンテンツ情報が、前記検出情報と一致すると判定される部分を有する場合、前記検出情報と同時に受信された前記評価情報を、前記コンテンツの評価に用いるよう選択することを特徴とする情報処理プログラム。
【請求項２６】
サーバ装置のコンピュータにより実行される情報処理プログラムにおいて、
前記コンピュータを、
映像及び音の少なくとも何れか一方で構成されるコンテンツを構成する、前記映像又は前記音を示すコンテンツ情報を取得する取得手段と、
前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、
前記取得されたコンテンツ情報と前記受信された検出情報とを比較する比較手段と、
前記比較手段による比較結果により、前記コンテンツ情報と前記検出情報との間に所定の一致がある場合、前記受信された評価情報を前記コンテンツの評価に用いるよう選択する選択手段と、
として機能させ、
前記端末装置は、前記評価情報が入力されたときに前記映像又は前記音を検出して、前記評価情報とともに前記検出情報を前記サーバ装置へ送信し、
前記選択手段は、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする情報処理プログラム。
【請求項２７】
端末装置のコンピュータにより実行される情報処理プログラムにおいて、
前記コンピュータを、
前記端末装置が備える入力手段にユーザにより入力された、映像及び音の少なくとも何れか一方で構成されるコンテンツに対する評価情報を取得する評価情報取得手段と、
前記コンテンツを構成する、前記映像及び前記音の少なくとも何れか一方を出力する出力装置により出力された映像又は音を検出する検出手段から、前記検出された映像又は音を示す検出情報を取得する検出情報取得手段と、
前記取得された評価情報と、前記取得された検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、
として機能させ、
前記検出手段及び前記送信手段は、所定時間間隔を置いて繰り返し前記映像又は前記音を検出して前記検出情報を送信し、
前記サーバ装置は、前記端末装置から前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする情報処理プログラム。
【請求項２８】
端末装置のコンピュータにより実行される情報処理プログラムにおいて、
前記コンピュータを、
前記端末装置が備える入力手段にユーザにより入力された、映像及び音の少なくとも何れか一方で構成されるコンテンツに対する評価情報を取得する評価情報取得手段と、
前記コンテンツを構成する、前記映像及び前記音の少なくとも何れか一方を出力する出力装置により出力された映像又は音を検出する検出手段から、前記検出された映像又は音を示す検出情報を取得する検出情報取得手段と、
前記取得された評価情報と、前記取得された検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、
として機能させ、
前記検出手段及び前記送信手段は、前記評価情報が入力されたときに前記映像又は前記音を検出して、該評価情報と同時に、該検出された映像又は音を示す前記検出情報を前記サーバ装置へ送信し、
前記サーバ装置は、前記コンテンツ情報が、前記検出情報と一致すると判定される部分を有する場合、前記端末装置から前記検出情報と同時に受信された前記評価情報を、前記コンテンツの評価に用いるよう選択することを特徴とする情報処理プログラム。
【請求項２９】
端末装置のコンピュータにより実行される情報処理プログラムにおいて、
前記コンピュータを、
前記端末装置が備える入力手段にユーザにより入力された、映像及び音の少なくとも何れか一方で構成されるコンテンツに対する評価情報を取得する評価情報取得手段と、
前記コンテンツを構成する、前記映像及び前記音の少なくとも何れか一方を出力する出力装置により出力された映像又は音を検出する検出手段から、前記検出された映像又は音を示す検出情報を取得する検出情報取得手段と、
前記取得された評価情報と、前記取得された検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、
として機能させ、
前記検出手段及び前記送信手段は、前記評価情報が入力されたときに前記映像又は前記音を検出して、前記評価情報とともに前記検出情報を前記サーバ装置へ送信し、
前記サーバ装置は、前記コンテンツ情報が、前記検出情報と一致すると判定される部分を有する場合、前記端末装置から前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする情報処理プログラム。
【手続補正２】
【補正対象書類名】明細書
【補正対象項目名】０００８
【補正方法】変更
【補正の内容】
【０００８】
上記課題を解決するために、本発明の一の形態は、端末装置と、前記端末装置とネットワークを介して接続されるサーバ装置と、を含む評価システムにおいて、前記端末装置は、映像及び音の少なくとも何れか一方で構成されるコンテンツに対する評価情報がユーザにより入力される入力手段と、前記コンテンツを構成する、前記映像及び前記音の少なくとも何れか一方を出力する出力装置により出力された映像又は音を検出する検出手段と、前記入力された評価情報と、前記検出された映像又は音を示す検出情報と、を前記サーバ装置へ送信する送信手段と、を備え、前記サーバ装置は、前記コンテンツを構成する、前記映像又は前記音を示すコンテンツ情報を取得する取得手段と、前記端末装置から前記評価情報及び前記検出情報を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、を備え、前記検出手段及び前記送信手段は、所定時間間隔を置いて繰り返し前記映像又は前記音を検出して前記検出情報を送信し、前記選択手段は、前記受信手段により前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする。
【手続補正３】
【補正対象書類名】明細書
【補正対象項目名】０００９
【補正方法】変更
【補正の内容】
【０００９】
この発明によれば、端末装置により検出された映像又は音を示す検出情報と、サーバ装置が取得しているコンテンツの映像又は音を示すコンテンツ情報との比較に基づいて、評価対象のコンテンツを実際にユーザが観ているか否か又は聴いているか否かを推定することが可能である。従って、ユーザがコンテンツを観ているか又は聴いて入力したと推定される評価情報を優先的に、コンテンツの評価に用いることができる。そのため、評価情報の信頼性を確保することが可能となる。
また、この発明によれば、サーバ装置は、ユーザが評価情報を入力した時刻に近い時刻に検出された映像又は音を示す検出情報を用いて、評価情報をコンテンツの評価に用いるか否かを判定する。そのため、端末装置が映像又は音の検出及び検出情報の送信を定期的に実行する態様においても、評価情報を入力した時点においてユーザがコンテンツを観ているか否か又は聴いているか否かの推定精度を高めることができる。
本発明の一の形態は、さらに、前記選択手段は、前記受信手段により所定時間間隔を置いて繰り返し受信される前記検出情報のうち、前記評価情報の入力時刻から相対的に近い時刻に検出された映像又は音をそれぞれ示す２以上の検出情報と前記コンテンツ情報との比較結果に基づいて、前記選択を行うことを特徴とする。
この発明によれば、ユーザが評価情報を入力した時刻に近い時刻に検出された映像又は音を示す２以上の検出情報が用いられる。そのため、評価情報を入力した時点においてユーザがコンテンツを観ているか否か又は聴いているか否かの推定精度を更に高めることができる。
本発明の一の形態は、端末装置と、前記端末装置とネットワークを介して接続されるサーバ装置と、を含む評価システムにおいて、前記端末装置は、映像及び音の少なくとも何れか一方で構成されるコンテンツに対する評価情報がユーザにより入力される入力手段と、前記コンテンツを構成する、前記映像及び前記音の少なくとも何れか一方を出力する出力装置により出力された映像又は音を検出する検出手段と、前記入力された評価情報と、前記検出された映像又は音を示す検出情報と、を前記サーバ装置へ送信する送信手段と、を備え、前記サーバ装置は、前記コンテンツを構成する、前記映像又は前記音を示すコンテンツ情報を取得する取得手段と、前記端末装置から前記評価情報及び前記検出情報を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、を備え、前記検出手段及び前記送信手段は、前記評価情報が入力されたときに前記映像又は前記音を検出して、該評価情報と同時に、該検出された映像又は音を示す前記検出情報を前記サーバ装置へ送信し、前記選択手段は、前記コンテンツ情報が、前記検出情報と一致すると判定される部分を有する場合、前記検出情報と同時に受信された前記評価情報を、前記コンテンツの評価に用いるよう選択することを特徴とする。
この発明によれば、端末装置により検出された映像又は音を示す検出情報と、サーバ装置が取得しているコンテンツの映像又は音を示すコンテンツ情報との比較に基づいて、評価対象のコンテンツを実際にユーザが観ているか否か又は聴いているか否かを推定することが可能である。従って、ユーザがコンテンツを観ているか又は聴いて入力したと推定される評価情報を優先的に、コンテンツの評価に用いることができる。そのため、評価情報の信頼性を確保することが可能となる。
また、この発明によれば、サーバ装置は、ユーザが評価情報を入力した時点で検出された映像又は音を示す検出情報を用いて、その評価情報をコンテンツの評価に用いるか否かを判定する。そのため、評価情報を入力した時点においてユーザがコンテンツを観ているか否か又は聴いているか否かの推定精度を高めることができる。
本発明の一の形態は、端末装置と、前記端末装置とネットワークを介して接続されるサーバ装置と、を含む評価システムにおいて、前記端末装置は、映像及び音の少なくとも何れか一方で構成されるコンテンツに対する評価情報がユーザにより入力される入力手段と、前記コンテンツを構成する、前記映像及び前記音の少なくとも何れか一方を出力する出力装置により出力された映像又は音を検出する検出手段と、前記入力された評価情報と、前記検出された映像又は音を示す検出情報と、を前記サーバ装置へ送信する送信手段と、を備え、前記サーバ装置は、前記コンテンツを構成する、前記映像又は前記音を示すコンテンツ情報を取得する取得手段と、前記端末装置から前記評価情報及び前記検出情報を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、を備え、前記検出手段及び前記送信手段は、前記評価情報が入力されたときに前記映像又は前記音を検出して、前記評価情報とともに前記検出情報を前記サーバ装置へ送信し、前記選択手段は、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする。
この発明によれば、端末装置により検出された映像又は音を示す検出情報と、サーバ装置が取得しているコンテンツの映像又は音を示すコンテンツ情報との比較に基づいて、評価対象のコンテンツを実際にユーザが観ているか否か又は聴いているか否かを推定することが可能である。従って、ユーザがコンテンツを観ているか又は聴いて入力したと推定される評価情報を優先的に、コンテンツの評価に用いることができる。そのため、評価情報の信頼性を確保することが可能となる。
また、この発明によれば、サーバ装置は、ユーザが評価情報を入力した時点で検出された映像又は音を示す検出情報を用いて、その評価情報をコンテンツの評価に用いるか否かを判定する。そのため、評価情報を入力した時点においてユーザがコンテンツを観ているか否か又は聴いているか否かの推定精度を高めることができる。
また、この発明によれば、サーバ装置は、ユーザが評価情報を入力した時点で検出された映像又は音と一致する、コンテンツにおける映像又は音の出力時刻を、評価情報の入力時刻として特定する。そのためコンテンツの何れの場面に対して入力された評価情報であるかを適切に特定することが可能であるので、コンテンツに対して適切な評価を行うことができる。
本発明の一の形態は、さらに、前記取得手段は、前記コンテンツを構成する前記映像又は前記音の特徴を示す特徴情報の時系列で構成される特徴情報時系列データから変換された特定情報の時系列で構成される特定情報時系列データであって、各前記特定情報に基づいて対応する前記特徴情報が特定可能であり、且つ各前記特定情報の情報量は、対応する前記特徴情報の情報量よりも少ない特定情報時系列データを、前記コンテンツ情報として取得し、前記端末装置は、前記特徴情報時系列データを事前に取得する特徴情報時系列データ取得手段と、前記検出された映像又は音の特徴を示す特徴情報を抽出する抽出手段と、前記取得された特徴情報時系列データに含まれる前記特徴情報のうち、前記抽出された特徴情報との間の一致度が所定値を超える特徴情報を特定する特定情報であって、該特徴情報の情報量よりも少ない情報量の特定情報を生成する生成手段と、を更に備え、前記送信手段は、前記生成された特定情報を、前記検出情報として送信し、前記選択手段は、前記特徴情報時系列データに含まれる前記特定情報のうち、前記検出情報として受信された前記特定情報と一致する特定情報に対応する前記出力時刻を、前記入力時刻として特定することを特徴とする。
この発明によれば、端末装置が、コンテンツの出力前に取得しておいたそのコンテンツの特徴情報時系列データと、検出された映像又は音から抽出された特徴情報とを比較する。端末装置は、特徴情報時系列データの中に、抽出された特徴情報との間の一致度が所定値を超える特徴情報が存在する場合、この特徴情報から情報量がより少ない特定情報を生成して、この特定情報を検出情報としてサーバ装置へ送信する。サーバ装置は、特徴情報時系列データから変換された特定情報時系列データと、端末装置から受信された特定情報を比較する。サーバ装置は、特定情報時系列データのうち、受信された特定情報と一致する特定情報に対応する映像又は音の出力装置による出力時刻を、評価情報の入力時刻として取得する。従って、検出情報の情報量が削減されるので、端末装置及びサーバ装置の通信負荷を削減することができる。
本発明の一の形態は、さらに、前記特定情報は、前記特徴情報のハッシュ値であることを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
本発明の一の形態は、サーバ装置において、映像及び音の少なくとも何れか一方で構成されるコンテンツを構成する、前記映像又は前記音を示すコンテンツ情報を取得する取得手段と、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、を備え、前記端末装置は、所定時間間隔を置いて繰り返し前記映像又は前記音を検出して前記検出情報を前記サーバ装置へ送信し、前記選択手段は、前記受信手段により前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする。
本発明の一の形態は、サーバ装置において、映像及び音の少なくとも何れか一方で構成されるコンテンツを構成する、前記映像又は前記音を示すコンテンツ情報を取得する取得手段と、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、を備え、前記端末装置は、前記評価情報が入力されたときに前記映像又は前記音を検出して、該評価情報と同時に、該検出された映像又は音を示す前記検出情報を前記サーバ装置へ送信し、前記選択手段は、前記コンテンツ情報が、前記検出情報と一致すると判定される部分を有する場合、前記検出情報と同時に受信された前記評価情報を、前記コンテンツの評価に用いるよう選択することを特徴とする。
本発明の一の形態は、サーバ装置において、映像及び音の少なくとも何れか一方で構成されるコンテンツを構成する、前記映像又は前記音を示すコンテンツ情報を取得する取得手段と、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、を備え、前記端末装置は、前記評価情報が入力されたときに前記映像又は前記音を検出して、前記評価情報とともに前記検出情報を前記サーバ装置へ送信し、前記選択手段は、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする。
【手続補正１６】
【補正対象書類名】明細書
【補正対象項目名】００２６
【補正方法】変更
【補正の内容】
【００２６】
本発明の一の形態は、端末装置において、映像及び音の少なくとも何れか一方で構成されるコンテンツに対する評価情報がユーザにより入力される入力手段と、前記コンテンツを構成する、前記映像及び前記音の少なくとも何れか一方を出力する出力装置により出力された映像又は音を検出する検出手段と、前記入力された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、を備え、前記検出手段及び前記送信手段は、所定時間間隔を置いて繰り返し前記映像又は前記音を検出して前記検出情報を送信し、前記サーバ装置は、前記端末装置から前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする。
本発明の一の形態は、端末装置において、映像及び音の少なくとも何れか一方で構成されるコンテンツに対する評価情報がユーザにより入力される入力手段と、前記コンテンツを構成する、前記映像及び前記音の少なくとも何れか一方を出力する出力装置により出力された映像又は音を検出する検出手段と、前記入力された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、を備え、前記検出手段及び前記送信手段は、前記評価情報が入力されたときに前記映像又は前記音を検出して、該評価情報と同時に、該検出された映像又は音を示す前記検出情報を前記サーバ装置へ送信し、前記サーバ装置は、前記コンテンツ情報が、前記検出情報と一致すると判定される部分を有する場合、前記端末装置から前記検出情報と同時に受信された前記評価情報を、前記コンテンツの評価に用いるよう選択することを特徴とする。
本発明の一の形態は、端末装置において、映像及び音の少なくとも何れか一方で構成されるコンテンツに対する評価情報がユーザにより入力される入力手段と、前記コンテンツを構成する、前記映像及び前記音の少なくとも何れか一方を出力する出力装置により出力された映像又は音を検出する検出手段と、前記入力された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、を備え、前記検出手段及び前記送信手段は、前記評価情報が入力されたときに前記映像又は前記音を検出して、前記評価情報とともに前記検出情報を前記サーバ装置へ送信し、前記サーバ装置は、前記コンテンツ情報が、前記検出情報と一致すると判定される部分を有する場合、前記端末装置から前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする。
【手続補正１７】
【補正対象書類名】明細書
【補正対象項目名】００２７
【補正方法】変更
【補正の内容】
【００２７】
本発明の一の形態は、端末装置と、前記端末装置とネットワークを介して接続されるサーバ装置と、を含む評価システムにおける情報処理方法において、前記サーバ装置が、映像及び音の少なくとも何れか一方で構成されるコンテンツを構成する、前記映像又は前記音を示すコンテンツ情報を取得する取得ステップと、前記端末装置が、前記端末装置が備える入力手段にユーザにより入力された、前記コンテンツに対する評価情報を取得する評価情報取得ステップと、前記端末装置が、前記コンテンツを構成する、前記映像及び前記音の少なくとも何れか一方を出力する出力装置により出力された映像又は音を検出する検出ステップと、前記端末装置が、前記取得された評価情報と、前記検出された映像又は音を示す検出情報と、を前記サーバ装置へ送信する送信ステップと、前記サーバ装置が、前記端末装置から前記評価情報及び前記検出情報を受信する受信ステップと、前記サーバ装置が、前記取得されたコンテンツ情報と前記受信された検出情報とを比較する比較ステップと、前記サーバ装置が、前記比較ステップによる比較結果により、前記コンテンツ情報と前記検出情報との間に所定の一致があることが示される場合、前記受信された評価情報を前記コンテンツの評価に用いるよう選択する選択ステップと、を含み、前記検出ステップ及び前記送信ステップは、所定時間間隔を置いて繰り返し前記映像又は前記音を検出して前記検出情報を送信し、前記選択ステップは、前記受信ステップにより前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする。
本発明の一の形態は、端末装置と、前記端末装置とネットワークを介して接続されるサーバ装置と、を含む評価システムにおける情報処理方法において、前記サーバ装置が、映像及び音の少なくとも何れか一方で構成されるコンテンツを構成する、前記映像又は前記音を示すコンテンツ情報を取得する取得ステップと、前記端末装置が、前記端末装置が備える入力手段にユーザにより入力された、前記コンテンツに対する評価情報を取得する評価情報取得ステップと、前記端末装置が、前記コンテンツを構成する、前記映像及び前記音の少なくとも何れか一方を出力する出力装置により出力された映像又は音を検出する検出ステップと、前記端末装置が、前記取得された評価情報と、前記検出された映像又は音を示す検出情報と、を前記サーバ装置へ送信する送信ステップと、前記サーバ装置が、前記端末装置から前記評価情報及び前記検出情報を受信する受信ステップと、前記サーバ装置が、前記取得されたコンテンツ情報と前記受信された検出情報とを比較する比較ステップと、前記サーバ装置が、前記比較ステップによる比較結果により、前記コンテンツ情報と前記検出情報との間に所定の一致があることが示される場合、前記受信された評価情報を前記コンテンツの評価に用いるよう選択する選択ステップと、を含み、前記検出ステップ及び前記送信ステップは、前記評価情報が入力されたときに前記映像又は前記音を検出して、該評価情報と同時に、該検出された映像又は音を示す前記検出情報を前記サーバ装置へ送信し、前記選択ステップは、前記コンテンツ情報が、前記検出情報と一致すると判定される部分を有する場合、前記検出情報と同時に受信された前記評価情報を、前記コンテンツの評価に用いるよう選択することを特徴とする。
本発明の一の形態は、端末装置と、前記端末装置とネットワークを介して接続されるサーバ装置と、を含む評価システムにおける情報処理方法において、前記サーバ装置が、映像及び音の少なくとも何れか一方で構成されるコンテンツを構成する、前記映像又は前記音を示すコンテンツ情報を取得する取得ステップと、前記端末装置が、前記端末装置が備える入力手段にユーザにより入力された、前記コンテンツに対する評価情報を取得する評価情報取得ステップと、前記端末装置が、前記コンテンツを構成する、前記映像及び前記音の少なくとも何れか一方を出力する出力装置により出力された映像又は音を検出する検出ステップと、前記端末装置が、前記取得された評価情報と、前記検出された映像又は音を示す検出情報と、を前記サーバ装置へ送信する送信ステップと、前記サーバ装置が、前記端末装置から前記評価情報及び前記検出情報を受信する受信ステップと、前記サーバ装置が、前記取得されたコンテンツ情報と前記受信された検出情報とを比較する比較ステップと、前記サーバ装置が、前記比較ステップによる比較結果により、前記コンテンツ情報と前記検出情報との間に所定の一致があることが示される場合、前記受信された評価情報を前記コンテンツの評価に用いるよう選択する選択ステップと、を含み、前記検出ステップ及び前記送信ステップは、前記評価情報が入力されたときに前記映像又は前記音を検出して、前記評価情報とともに前記検出情報を前記サーバ装置へ送信し、前記選択ステップは、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする。
【手続補正１８】
【補正対象書類名】明細書
【補正対象項目名】００２８
【補正方法】変更
【補正の内容】
【００２８】
本発明の一の形態は、サーバ装置のコンピュータにより実行される情報処理方法において、映像及び音の少なくとも何れか一方で構成されるコンテンツを構成する、前記映像又は前記音を示すコンテンツ情報を取得する取得ステップと、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信ステップと、前記取得されたコンテンツ情報と前記受信された検出情報とを比較する比較ステップと、前記比較ステップによる比較結果により、前記コンテンツ情報と前記検出情報との間に所定の一致がある場合、前記受信された評価情報を前記コンテンツの評価に用いるよう選択する選択ステップと、を含み、前記端末装置は、所定時間間隔を置いて繰り返し前記映像又は前記音を検出して前記検出情報を送信し、前記選択ステップは、前記受信ステップにより前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする。
本発明の一の形態は、サーバ装置のコンピュータにより実行される情報処理方法において、映像及び音の少なくとも何れか一方で構成されるコンテンツを構成する、前記映像又は前記音を示すコンテンツ情報を取得する取得ステップと、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信ステップと、前記取得されたコンテンツ情報と前記受信された検出情報とを比較する比較ステップと、前記比較ステップによる比較結果により、前記コンテンツ情報と前記検出情報との間に所定の一致がある場合、前記受信された評価情報を前記コンテンツの評価に用いるよう選択する選択ステップと、を含み、前記端末装置は、前記評価情報が入力されたときに前記映像又は前記音を検出して、該評価情報と同時に、該検出された映像又は音を示す前記検出情報を前記サーバ装置へ送信し、前記選択ステップは、前記コンテンツ情報が、前記検出情報と一致すると判定される部分を有する場合、前記検出情報と同時に受信された前記評価情報を、前記コンテンツの評価に用いるよう選択することを特徴とする。
本発明の一の形態は、サーバ装置のコンピュータにより実行される情報処理方法において、映像及び音の少なくとも何れか一方で構成されるコンテンツを構成する、前記映像又は前記音を示すコンテンツ情報を取得する取得ステップと、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信ステップと、前記取得されたコンテンツ情報と前記受信された検出情報とを比較する比較ステップと、前記比較ステップによる比較結果により、前記コンテンツ情報と前記検出情報との間に所定の一致がある場合、前記受信された評価情報を前記コンテンツの評価に用いるよう選択する選択ステップと、を含み、前記端末装置は、前記評価情報が入力されたときに前記映像又は前記音を検出して、前記評価情報とともに前記検出情報を前記サーバ装置へ送信し、前記選択ステップは、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする。
【手続補正１９】
【補正対象書類名】明細書
【補正対象項目名】００２９
【補正方法】変更
【補正の内容】
【００２９】
本発明の一の形態は、端末装置のコンピュータにより実行される情報処理方法において、前記端末装置が備える入力手段にユーザにより入力された、映像及び音の少なくとも何れか一方で構成されるコンテンツに対する評価情報を取得する評価情報取得ステップと、前記コンテンツを構成する、前記映像及び前記音の少なくとも何れか一方を出力する出力装置により出力された映像又は音を検出する検出ステップと、前記取得された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致があることが示される場合、前記評価情報を前記コンテンツの評価に用いるよう選択するサーバ装置へ送信する送信ステップと、を含み、前記検出ステップ及び前記送信ステップは、所定時間間隔を置いて繰り返し前記映像又は前記音を検出して前記検出情報を送信し、前記サーバ装置は、前記端末装置から前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする。
本発明の一の形態は、端末装置のコンピュータにより実行される情報処理方法において、前記端末装置が備える入力手段にユーザにより入力された、映像及び音の少なくとも何れか一方で構成されるコンテンツに対する評価情報を取得する評価情報取得ステップと、前記コンテンツを構成する、前記映像及び前記音の少なくとも何れか一方を出力する出力装置により出力された映像又は音を検出する検出ステップと、前記取得された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致があることが示される場合、前記評価情報を前記コンテンツの評価に用いるよう選択するサーバ装置へ送信する送信ステップと、を含み、前記検出ステップ及び前記送信ステップは、前記評価情報が入力されたときに前記映像又は前記音を検出して、該評価情報と同時に、該検出された映像又は音を示す前記検出情報を前記サーバ装置へ送信し、前記サーバ装置は、前記コンテンツ情報が、前記検出情報と一致すると判定される部分を有する場合、前記端末装置から前記検出情報と同時に受信された前記評価情報を、前記コンテンツの評価に用いるよう選択することを特徴とする。
本発明の一の形態は、端末装置のコンピュータにより実行される情報処理方法において、前記端末装置が備える入力手段にユーザにより入力された、映像及び音の少なくとも何れか一方で構成されるコンテンツに対する評価情報を取得する評価情報取得ステップと、前記コンテンツを構成する、前記映像及び前記音の少なくとも何れか一方を出力する出力装置により出力された映像又は音を検出する検出ステップと、前記取得された評価情報と、前記検出された映像又は音を示す検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致があることが示される場合、前記評価情報を前記コンテンツの評価に用いるよう選択するサーバ装置へ送信する送信ステップと、を含み、前記検出ステップ及び前記送信ステップは、前記評価情報が入力されたときに前記映像又は前記音を検出して、前記評価情報とともに前記検出情報を前記サーバ装置へ送信し、前記サーバ装置は、前記コンテンツ情報が、前記検出情報と一致すると判定される部分を有する場合、前記端末装置から前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする。
【手続補正２０】
【補正対象書類名】明細書
【補正対象項目名】００３０
【補正方法】変更
【補正の内容】
【００３０】
本発明の一の形態は、サーバ装置のコンピュータにより実行される情報処理プログラムにおいて、前記コンピュータを、映像及び音の少なくとも何れか一方で構成されるコンテンツを構成する、前記映像又は前記音を示すコンテンツ情報を取得する取得手段と、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、として機能させ、前記端末装置は、所定時間間隔を置いて繰り返し前記映像又は前記音を検出して前記検出情報を前記サーバ装置へ送信し、前記選択手段は、前記受信手段により前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする。
本発明の一の形態は、サーバ装置のコンピュータにより実行される情報処理プログラムにおいて、前記コンピュータを、映像及び音の少なくとも何れか一方で構成されるコンテンツを構成する、前記映像又は前記音を示すコンテンツ情報を取得する取得手段と、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、として機能させ、前記端末装置は、前記評価情報が入力されたときに前記映像又は前記音を検出して、該評価情報と同時に、該検出された映像又は音を示す前記検出情報を前記サーバ装置へ送信し、前記選択手段は、前記コンテンツ情報が、前記検出情報と一致すると判定される部分を有する場合、前記検出情報と同時に受信された前記評価情報を、前記コンテンツの評価に用いるよう選択することを特徴とする。
本発明の一の形態は、サーバ装置のコンピュータにより実行される情報処理プログラムにおいて、前記コンピュータを、映像及び音の少なくとも何れか一方で構成されるコンテンツを構成する、前記映像又は前記音を示すコンテンツ情報を取得する取得手段と、前記コンテンツに対する評価情報がユーザにより入力され、且つ、前記コンテンツを構成する、前記映像及び前記音の少なくとも何れか一方を出力する出力装置により出力された映像又は音を検出する端末装置から、前記評価情報と、前記検出された映像又は音を示す検出情報と、を受信する受信手段と、前記取得されたコンテンツ情報と前記受信された検出情報とを比較する比較手段と、前記比較手段による比較結果により、前記コンテンツ情報と前記検出情報との間に所定の一致がある場合、前記受信された評価情報を前記コンテンツの評価に用いるよう選択する選択手段と、として機能させ、前記端末装置は、前記評価情報が入力されたときに前記映像又は前記音を検出して、前記評価情報とともに前記検出情報を前記サーバ装置へ送信し、前記選択手段は、前記コンテンツ情報が、前記検出情報と一致すると判定される部分を有する場合、前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする。
【手続補正２１】
【補正対象書類名】明細書
【補正対象項目名】００３１
【補正方法】変更
【補正の内容】
【００３１】
本発明の一の形態は、端末装置のコンピュータにより実行される情報処理プログラムにおいて、前記コンピュータを、前記端末装置が備える入力手段にユーザにより入力された、映像及び音の少なくとも何れか一方で構成されるコンテンツに対する評価情報を取得する評価情報取得手段と、前記コンテンツを構成する、前記映像及び前記音の少なくとも何れか一方を出力する出力装置により出力された映像又は音を検出する検出手段から、前記検出された映像又は音を示す検出情報を取得する検出情報取得手段と、前記取得された評価情報と、前記取得された検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、として機能させ、前記検出手段及び前記送信手段は、所定時間間隔を置いて繰り返し前記映像又は前記音を検出して前記検出情報を送信し、前記サーバ装置は、前記端末装置から前記所定時間間隔を置いて繰り返し受信される前記検出情報のうち、前記評価情報の入力時刻以前又は以後で前記入力時刻に最も近い時刻に前記端末装置により検出される映像又は音を示す検出情報と前記コンテンツ情報との比較結果に少なくとも基づいて、前記選択を行うことを特徴とする。
本発明の一の形態は、端末装置のコンピュータにより実行される情報処理プログラムにおいて、前記コンピュータを、前記端末装置が備える入力手段にユーザにより入力された、映像及び音の少なくとも何れか一方で構成されるコンテンツに対する評価情報を取得する評価情報取得手段と、前記コンテンツを構成する、前記映像及び前記音の少なくとも何れか一方を出力する出力装置により出力された映像又は音を検出する検出手段から、前記検出された映像又は音を示す検出情報を取得する検出情報取得手段と、前記取得された評価情報と、前記取得された検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、として機能させ、前記検出手段及び前記送信手段は、前記評価情報が入力されたときに前記映像又は前記音を検出して、該評価情報と同時に、該検出された映像又は音を示す前記検出情報を前記サーバ装置へ送信し、前記サーバ装置は、前記コンテンツ情報が、前記検出情報と一致すると判定される部分を有する場合、前記端末装置から前記検出情報と同時に受信された前記評価情報を、前記コンテンツの評価に用いるよう選択することを特徴とする。
本発明の一の形態は、端末装置のコンピュータにより実行される情報処理プログラムにおいて、前記コンピュータを、前記端末装置が備える入力手段にユーザにより入力された、映像及び音の少なくとも何れか一方で構成されるコンテンツに対する評価情報を取得する評価情報取得手段と、前記コンテンツを構成する、前記映像及び前記音の少なくとも何れか一方を出力する出力装置により出力された映像又は音を検出する検出手段から、前記検出された映像又は音を示す検出情報を取得する検出情報取得手段と、前記取得された評価情報と、前記取得された検出情報とを、前記コンテンツを構成する、前記映像及び前記音の少なくとも何れか一方を示すコンテンツ情報と、前記検出情報と、の比較結果により、前記コンテンツ情報と前記検出情報との間に所定の一致がある場合、前記評価情報を前記コンテンツの評価に用いるよう選択するサーバ装置へ送信する送信手段と、として機能させ、前記検出手段及び前記送信手段は、前記評価情報が入力されたときに前記映像又は前記音を検出して、前記評価情報とともに前記検出情報を前記サーバ装置へ送信し、  前記サーバ装置は、前記コンテンツ情報が、前記検出情報と一致すると判定される部分を有する場合、前記端末装置から前記検出情報とともに受信された前記評価情報を、前記コンテンツの評価に用いるよう選択し、前記コンテンツ情報のうち、前記検出情報と一致すると判定された前記部分により示される映像又は音の前記出力装置による出力時刻を、前記検出情報とともに受信された前記評価情報の入力時刻として特定することを特徴とする。
【国際調査報告】
2020059047.tif 000018
2020059047.tif 000019